(57)【要約】  本願の実施例は、共有端末を制御するための方法及び端末を開示し、該方法は、ユーザ端末が共有端末との接続を確立するステップと、該ユーザ端末は、該共有端末が該共有端末に対するユーザの配置嗜好を示すためのユーザのパーソナライズ配置情報を取得するようにトリガーするステップと、を含む。本願の実施例の方法及び端末は、ユーザの体験を向上させるのに役立つ。
2020530600.tif 000002
【特許請求の範囲】
【請求項１】
共有端末を制御するための方法であって、
ユーザ端末が共有端末との接続を確立するステップと、
前記ユーザ端末は、前記共有端末が前記共有端末に対するユーザの配置嗜好を示すためのユーザのパーソナライズ配置情報を取得するようにトリガーするステップと、を含むことを特徴とする共有端末を制御するための方法。
【請求項２】
前記ユーザ端末が共有端末との接続を確立するステップは、
前記共有端末が前記ユーザ端末と接続を確立できると前記ユーザ端末が確定する場合、前記ユーザ端末が前記共有端末に対して、前記共有端末に前記ユーザ端末との接続を確認するための確認情報を送信することを含むことを特徴とする請求項１に記載の方法。
【請求項３】
前記方法はさらに、
前記共有端末から送信された、前記共有端末が非占有状態にあることを示すための発見信号を前記ユーザ端末が受信するステップと、
前記ユーザ端末が前記発見信号に基づき、前記共有端末が前記ユーザ端末と接続を確立できると確定するステップと、を含むことを特徴とする請求項２に記載の方法。
【請求項４】
前記方法はさらに、
前記ユーザ端末が前記共有端末に対して、前記共有端末との接続を要求するための接続要求情報を送信するステップと、
前記ユーザ端末が前記共有端末から送信された、前記共有端末が前記ユーザ端末と接続できることを示すための前記接続要求情報の応答情報を受信するステップと、
前記ユーザ端末が前記応答情報に基づき、前記共有端末が前記ユーザ端末と接続を確立できると確定するステップと、を含むことを特徴とする請求項２に記載の方法。
【請求項５】
前記ユーザ端末は、前記共有端末がユーザのパーソナライズ配置情報を取得するようにトリガーするステップは、
前記ユーザ端末が前記共有端末に前記パーソナライズ配置情報を送信することを含むことを特徴とする請求項１乃至請求項４のいずれか一項に記載の方法。
【請求項６】
前記ユーザ端末が前記共有端末に前記パーソナライズ配置情報を送信する前に、前記方法はさらに、
前記ユーザ端末が前記パーソナライズ配置情報を取得するステップを含むことを特徴とする請求項５に記載の方法。
【請求項７】
前記ユーザ端末が前記パーソナライズ配置情報を取得するステップは、
前記ユーザ端末が前記ユーザの識別情報を取得することと、
前記ユーザ端末が前記識別情報に基づき、前記パーソナライズ配置情報を取得することと、を含むことを特徴とする請求項６に記載の方法。
【請求項８】
前記ユーザ端末が前記識別情報に基づき、前記パーソナライズ配置情報を取得することは、
前記ユーザ端末が前記識別情報に基づき、少なくとも１つのユーザの識別情報及び前記少なくとも１つのユーザの識別情報と１対１に対応する少なくとも１つのパーソナライズ配置情報を含む記憶しているパーソナライズ配置データベースから前記識別情報に対応するパーソナライズ配置情報を取得することを含むことを特徴とする請求項７に記載の方法。
【請求項９】
前記ユーザ端末が前記識別情報に基づき、前記パーソナライズ配置情報を取得することは、
前記ユーザ端末がサーバに前記識別情報を送信することと、
前記ユーザ端末が前記サーバから送信された前記識別情報に対応するパーソナライズ配置情報を受信することと、を含むことを特徴とする請求項７に記載の方法。
【請求項１０】
前記ユーザ端末は、前記共有端末がユーザのパーソナライズ配置情報を取得するようにトリガーするステップは、
前記共有端末がサーバから前記識別情報に対応するパーソナライズ配置情報を取得するように、前記ユーザ端末が前記共有端末に前記ユーザの識別情報を送信することを含むことを特徴とする請求項１乃至請求項４のいずれか一項に記載の方法。
【請求項１１】
前記識別情報はパスワード情報及び／又は生体特徴情報を含むことを特徴とする請求項７乃至請求項１０のいずれか一項に記載の方法。
【請求項１２】
前記生体特徴情報は指紋特徴情報、虹彩特徴情報、顔特徴情報、声紋特徴情報、静脈特徴情報及び網膜特徴情報のうちの少なくとも１つを含むことを特徴とする請求項１１に記載の方法。
【請求項１３】
前記方法はさらに、
前記ユーザ端末が前記共有端末に対して、前記共有端末が前記ユーザの使用前の配置に戻ることを示すためのクリア情報を送信するステップを含むことを特徴とする請求項１乃至請求項１２のいずれか一項に記載の方法。
【請求項１４】
共有端末を制御するための方法であって、
共有端末がユーザ端末との接続を確立するステップと、
前記共有端末が受信した前記ユーザ端末から送信された第１の情報に基づき、前記共有端末に対するユーザの配置嗜好を示すためのユーザのパーソナライズ配置情報を取得するステップと、
前記共有端末が前記パーソナライズ配置情報に基づき、前記共有端末に対して配置するステップと、を含むことを特徴とする共有端末を制御するための方法。
【請求項１５】
前記共有端末がユーザ端末との接続を確立するステップは、
前記共有端末が前記ユーザ端末に対して、前記共有端末が非占有状態にあることを示すための検出情報を送信することと、
前記共有端末が前記ユーザ端末から送信された、前記共有端末に前記ユーザ端末との接続を確認するための確認情報を受信することと、を含むことを特徴とする請求項１４に記載の方法。
【請求項１６】
前記共有端末がユーザ端末との接続を確立するステップは、
前記共有端末が前記ユーザ端末から送信された、前記共有端末との接続を要求するための接続要求情報を受信することと、
前記共有端末が前記ユーザ端末に対して、前記共有端末が前記ユーザ端末と接続できることを示すための前記接続要求情報の応答情報を送信することと、
前記共有端末が前記ユーザ端末から送信された、前記共有端末に前記ユーザ端末との接続を確認するための確認情報を受信することと、を含むことを特徴とする請求項１４に記載の方法。
【請求項１７】
前記第１の情報は前記ユーザのパーソナライズ配置情報であることを特徴とする請求項１４乃至請求項１６のいずれか一項に記載の方法。
【請求項１８】
前記第１の情報が前記ユーザの識別情報であり、前記共有端末が受信した前記ユーザ端末から送信された第１の情報に基づき、ユーザのパーソナライズ配置情報を取得するステップは、
前記共有端末が前記識別情報に基づき、前記パーソナライズ配置情報を取得することを含むことを特徴とする請求項１４乃至請求項１６のいずれか一項に記載の方法。
【請求項１９】
前記共有端末が前記識別情報に基づき、前記パーソナライズ配置情報を取得することは、
前記共有端末がサーバに前記識別情報を送信することと、
前記共有端末が前記サーバから送信された前記識別情報に対応する前記パーソナライズ配置情報を受信することと、を含むことを特徴とする請求項１８に記載の方法。
【請求項２０】
前記方法はさらに、
前記共有端末が前記ユーザ端末から送信された、前記共有端末が前記ユーザの使用前の配置に戻ることを示すためのクリア情報を受信するステップと、
前記共有端末が前記クリア情報に基づき、前記共有端末を前記ユーザの使用前の配置に戻すステップと、を含むことを特徴とする請求項１４乃至請求項１９のいずれか一項に記載の方法。
【請求項２１】
端末であって、
共有端末との接続を確立するための接続確立ユニットと、
前記共有端末に対するユーザの配置嗜好を示すためのユーザのパーソナライズ配置情報を前記共有端末が取得するようにトリガーするためのトリガーユニットと、を含むことを特徴とする端末。
【請求項２２】
前記接続確立ユニットは具体的には、
前記共有端末が前記端末と接続を確立できると前記端末が確定する場合、前記共有端末に対して、前記共有端末に前記端末との接続を確認するための確認情報を送信するために用いられることを特徴とする請求項２１に記載の端末。
【請求項２３】
前記端末はさらに、
前記共有端末から送信された、前記共有端末が非占有状態にあることを示すための発見信号を受信するための第１の受信ユニットと、
前記発見信号に基づき、前記共有端末が前記端末と接続を確立できると確定するための第１の確定ユニットと、を含むことを特徴とする請求項２２に記載の端末。
【請求項２４】
前記端末はさらに、
前記共有端末に対して、前記共有端末との接続を要求するための接続要求情報を送信するための第１の送信ユニットと、
前記共有端末から送信された、前記共有端末が前記端末と接続できることを示すための前記接続要求情報の応答情報を受信するための第２の受信ユニットと、
前記応答情報に基づき、前記共有端末が前記端末と接続を確立できると確定するための第２の確定ユニットと、を含むことを特徴とする請求項２２に記載の端末。
【請求項２５】
前記トリガーユニットは具体的には、
前記共有端末に前記パーソナライズ配置情報を送信するために用いられることを特徴とする請求項２１乃至請求項２４のいずれか一項に記載の端末。
【請求項２６】
前記端末はさらに、
前記パーソナライズ配置情報を取得するための取得ユニットを含むことを特徴とする請求項２５に記載の端末。
【請求項２７】
前記取得ユニットは具体的には、
前記ユーザの識別情報を取得し、
前記識別情報に基づき、前記パーソナライズ配置情報を取得するために用いられることを特徴とする請求項２６に記載の端末。
【請求項２８】
前記取得ユニットは具体的には、
前記識別情報に基づき、少なくとも１つのユーザの識別情報及び前記少なくとも１つのユーザの識別情報と１対１に対応する少なくとも１つのパーソナライズ配置情報を含む記憶しているパーソナライズ配置データベースから前記識別情報に対応するパーソナライズ配置情報を取得するために用いられることを特徴とする請求項２７に記載の端末。
【請求項２９】
前記取得ユニットは具体的には、
サーバに前記識別情報を送信し、
前記サーバから送信された前記識別情報に対応するパーソナライズ配置情報を受信するために用いられることを特徴とする請求項２７に記載の端末。
【請求項３０】
前記トリガーユニットは具体的には、
前記共有端末がサーバから前記識別情報に対応するパーソナライズ配置情報を取得するように、前記共有端末に前記ユーザの識別情報を送信するために用いられることを特徴とする請求項２１乃至請求項２４のいずれか一項に記載の端末。
【請求項３１】
前記識別情報はパスワード情報及び／又は生体特徴情報を含むことを特徴とする請求項２７乃至請求項３０のいずれか一項に記載の端末。
【請求項３２】
前記生体特徴情報は指紋特徴情報、虹彩特徴情報、顔特徴情報、声紋特徴情報、静脈特徴情報及び網膜特徴情報のうちの少なくとも１つを含むことを特徴とする請求項３１に記載の端末。
【請求項３３】
前記端末はさらに、
前記共有端末に対して、前記共有端末が前記ユーザの使用前の配置に戻ることを示すためのクリア情報を送信するための第２の送信ユニットを含むことを特徴とする請求項２１乃至請求項３２のいずれか一項に記載の端末。
【請求項３４】
端末であって、
ユーザ端末との接続を確立するための接続確立ユニットと、
受信した前記ユーザ端末から送信された第１の情報に基づき、前記共有端末に対するユーザの配置嗜好を示すためのユーザのパーソナライズ配置情報を取得するための取得ユニットと、
前記パーソナライズ配置情報に基づき、前記共有端末に対して配置するための配置ユニットと、を含むことを特徴とする端末。
【請求項３５】
前記接続確立ユニットは具体的には、
前記ユーザ端末に対して、前記端末が非占有状態にあることを示すための発見信号を送信し、
前記ユーザ端末から送信された、前記端末に前記ユーザ端末との接続を確認するための確認情報を受信するために用いられることを特徴とする請求項３４に記載の端末。
【請求項３６】
前記接続確立ユニットは具体的には、
前記ユーザ端末から送信された、前記端末との接続を要求するための接続要求情報を受信し、
前記ユーザ端末に対して、前記端末が前記ユーザ端末と接続できることを示すための前記接続要求情報の応答情報を送信し、
前記ユーザ端末から送信された、前記端末に前記ユーザ端末との接続を確認するための確認情報を受信するために用いられることを特徴とする請求項３４に記載の端末。
【請求項３７】
前記第１の情報は前記ユーザのパーソナライズ配置情報であることを特徴とする請求項３４乃至請求項３６のいずれか一項に記載の端末。
【請求項３８】
前記第１の情報が前記ユーザの識別情報であり、前記取得ユニットは具体的には、
前記識別情報に基づき、前記パーソナライズ配置情報を取得するために用いられることを特徴とする請求項３４乃至請求項３６のいずれか一項に記載の端末。
【請求項３９】
前記取得ユニットは具体的には、
サーバに前記識別情報を送信し、
前記サーバから送信された前記識別情報に対応する前記パーソナライズ配置情報を受信するために用いられることを特徴とする請求項３８に記載の端末。
【請求項４０】
前記端末はさらに、
前記ユーザ端末から送信された、前記端末が前記ユーザの使用前の配置に戻ることを示すためのクリア情報を受信するための受信ユニットと、
前記クリア情報に基づき、前記端末を前記ユーザの使用前の配置に戻すための復元ユニットと、を含むことを特徴とする請求項３４乃至請求項３９のいずれか一項に記載の端末。
【発明の詳細な説明】
【技術分野】
【０００１】
本願の実施例は、通信分野に関し、さらに具体的には、共有機器を制御するための方法及び端末に関する。
【背景技術】
【０００２】
将来の生活では、共有モードはますます広まりつつあるモードとなり、ユーザは自転車共有、自動車共有、さらには、将来のコンピュータ共有、テレビ共有が可能となるが、共有にはパーソナライズの除去問題がある。例えば、ユーザによっては、自分のコンピュータでのｗｏｒｄ文書の背景色を保護色にする傾向があり、ユーザが共有コンピュータでのｗｏｒｄを使用してオフィスワークを実施する必要がある場合、共有コンピュータの配置は通常初期配置であるため、ユーザは手動で配置するか、又は初期配置を使用する必要があり、ユーザの体験が悪い。
【発明の概要】
【発明が解決しようとする課題】
【０００３】
これに鑑みて、本願の実施例は、共有端末を制御するための方法及び端末を提供し、ユーザの体験を向上させるのに役立つ。
【課題を解決するための手段】
【０００４】
第１の態様にて提供される共有端末を制御するための方法は、ユーザ端末が共有端末との接続を確立するステップと、該ユーザ端末は、該共有端末が該共有端末に対するユーザの配置嗜好を示すためのユーザのパーソナライズ配置情報を取得するようにトリガーするステップと、を含む。
【０００５】
選択的に、本願の実施例のユーザ端末及び共有端末はそれぞれ他の端末と接続するためのインタフェースを備える必要があるが、該インタフェースは、従来定義されたＣタイプ（Ｔｙｐｅ−Ｃ）インタフェースの拡張などの有線であってもよく、該インタフェースは、またロングタームエボリューション（Ｌｏｎｇ  Ｔｅｒｍ  Ｅｖｏｌｕｔｉｏｎ、ＬＴＥ）におけるサイドリンク（Ｓｉｄｅｌｉｎｋ）又はワイヤレスフィデリティ（Ｗｉｒｅｌｅｓｓ  Ｆｉｄｅｌｉｔｙ、ＷｉＦｉ）などの無線であってもよい。
【０００６】
ユーザ端末は共有端末がユーザのパーソナライズ配置情報を取得するようにトリガーすることにより、ユーザの嗜好に合せて共有端末を配置でき、さらにユーザの体験を向上させることができる。
【０００７】
１つの可能な実現形態では、該ユーザ端末が共有端末との接続を確立するステップは、該共有端末が該ユーザ端末と接続を確立できると該ユーザ端末が確定する場合、該ユーザ端末が該共有端末に対して、該共有端末に該ユーザ端末との接続を確認するための確認情報を送信することを含む。
【０００８】
選択的に、該確認情報は、デフォルト情報のみであってもよく、共有端末にアクセスする認証情報であってもよい。すなわちユーザ端末が接続確認時に共有端末に１つのパスワードを入力し、共有端末がマッチングを行うことができる。
【０００９】
１つの可能な実現形態では、該方法はさらに、該共有端末から送信された、該共有端末が非占有状態にあることを示すための発見信号を該ユーザ端末が受信するステップと、該ユーザ端末が該発見信号に基づき、該共有端末が該ユーザ端末と接続を確立できると確定するステップと、を含む。
【００１０】
１つの可能な実現形態では、該方法はさらに、該ユーザ端末が該共有端末に対して、該共有端末との接続を要求するための接続要求情報を送信するステップと、該ユーザ端末が該共有端末から送信された、該共有端末が該ユーザ端末と接続できることを示すための該接続要求情報の応答情報を受信するステップと、該ユーザ端末が該応答情報に基づき、該共有端末が該ユーザ端末と接続を確立できると確定するステップと、を含む。
【００１１】
選択的に、共有端末が占有されるとき、共有端末はユーザ端末に発見信号を送信しない。或いは共有端末はユーザ端末の要求に応答せず、すなわち共有端末はユーザ端末の接続を拒否してもよい。
【００１２】
選択的に、本願の実施例では、ユーザ端末はさらに共有端末にユーザのデータを送信してもよい。ユーザのデータはユーザが操作する文書であってもよく、ユーザが好む音楽、又はユーザが好むビデオなどであってもよい。
【００１３】
１つの可能な実現形態では、該ユーザ端末は、該共有端末がユーザのパーソナライズ配置情報を取得するようにトリガーするステップは、該ユーザ端末が該共有端末に該パーソナライズ配置情報を送信することを含む。
【００１４】
ユーザ端末は共有端末にパーソナライズ配置情報を直接送信し、操作がシンプルで、容易に実現する。
【００１５】
１つの可能な実現形態では、該ユーザ端末が該共有端末にユーザのパーソナライズ配置情報を送信する前に、該方法はさらに、該ユーザ端末が該パーソナライズ配置情報を取得するステップを含む。
【００１６】
１つの可能な実現形態では、該ユーザ端末が該パーソナライズ配置情報を取得するステップは、該ユーザ端末が該ユーザの識別情報を取得することと、該ユーザ端末が該識別情報に基づき、該パーソナライズ配置情報を取得することと、を含む。
【００１７】
１つの可能な実現形態では、該ユーザ端末が該識別情報に基づき、該パーソナライズ配置情報を取得することは、該ユーザ端末が該識別情報に基づき、少なくとも１つのユーザの識別情報及び該少なくとも１つのユーザの識別情報と１対１に対応する少なくとも１つのパーソナライズ配置情報を含む記憶しているパーソナライズ配置データベースから該識別情報に対応するパーソナライズ配置情報を取得することを含む。
【００１８】
選択的に、該パーソナライズ配置データベースはユーザ端末に記憶されてもよく、他の端末又はサーバに記憶されてもよく、ユーザ端末が共有端末にユーザのパーソナライズ配置情報を送信する必要があるとき、他の端末又はサーバにユーザの識別情報を送信して該パーソナライズ配置データベースからユーザに対応するパーソナライズ配置情報を取得してよい。
【００１９】
１つの可能な実現形態では、該ユーザ端末が該識別情報に基づき、該パーソナライズ配置情報を取得することは、該ユーザ端末がサーバに該識別情報を送信することと、該ユーザ端末が該サーバから送信された該識別情報に対応するパーソナライズ配置情報を受信することと、を含む。
【００２０】
１つの可能な実現形態では、該ユーザ端末は、該共有端末がユーザのパーソナライズ配置情報を取得するようにトリガーするステップは、該共有端末がサーバから該識別情報に対応するパーソナライズ配置情報を取得するように、該ユーザ端末が該共有端末に該ユーザの識別情報を送信することを含む。
【００２１】
ユーザのパーソナライズ配置情報は、ユーザ端末のメモリを占有せず、サーバに記憶されてもよい。
【００２２】
１つの可能な実現形態では、該識別情報はパスワード情報及び／又は生体特徴情報を含む。
【００２３】
該パーソナライズ配置データベースは、１つのテーブルであってよく、該テーブルはユーザの識別情報とパーソナライズ配置情報との対応関係テーブルであり、例えば、ユーザが入力したパスワードとパーソナライズ配置情報との対応関係テーブルであってもよく、ユーザの生体特徴情報とパーソナライズ配置情報との対応関係テーブルであってもよく、パスワード及び生体特徴情報の両方とパーソナライズ配置情報との対応関係テーブルであってもよい。
【００２４】
１つの可能な実現形態では、該生体特徴情報は指紋特徴情報、虹彩特徴情報、顔特徴情報、声紋特徴情報、静脈特徴情報及び網膜特徴情報のうちの少なくとも１つを含む。
【００２５】
１つの可能な実現形態では、該方法はさらに、該ユーザ端末が該共有端末に対して、該共有端末が該ユーザの使用前の配置に戻ることを示すためのクリア情報を送信するステップを含む。
【００２６】
第２の態様にて提供される共有端末を制御するための方法は、共有端末がユーザ端末との接続を確立するステップと、該共有端末が受信した該ユーザ端末から送信された第１の情報に基づき、該共有端末に対するユーザの配置嗜好を示すためのユーザのパーソナライズ配置情報を取得するステップと、該共有端末が該パーソナライズ配置情報に基づき、該共有端末に対して配置するステップと、を含む。
【００２７】
１つの可能な実現形態では、該共有端末がユーザ端末との接続を確立するステップは、該共有端末が該ユーザ端末に対して、該共有端末が非占有状態にあることを示すための検出情報を送信することと、該共有端末が該ユーザ端末から送信された、該共有端末に該ユーザ端末との接続を確認するための確認情報を受信することと、を含む。
【００２８】
１つの可能な実現形態では、該共有端末がユーザ端末との接続を確立するステップは、該共有端末が該ユーザ端末から送信された、該共有端末との接続を要求するための接続要求情報を受信することと、該共有端末が該ユーザ端末に対して、該共有端末が該ユーザ端末と接続できることを示すための該接続要求情報の応答情報を送信することと、該共有端末が該ユーザ端末から送信された、該共有端末に該ユーザ端末との接続を確認するための確認情報を受信することと、を含む。
【００２９】
１つの可能な実現形態では、該第１の情報は該ユーザのパーソナライズ配置情報である。
【００３０】
１つの可能な実現形態では、該第１の情報が該ユーザの識別情報であり、該共有端末が受信した該ユーザ端末から送信された第１の情報に基づき、ユーザのパーソナライズ配置情報を取得するステップは、該共有端末が該識別情報に基づき、該パーソナライズ配置情報を取得することを含む。
【００３１】
１つの可能な実現形態では、該共有端末が該識別情報に基づき、該パーソナライズ配置情報を取得することは、該共有端末がサーバに該識別情報を送信することと、該共有端末が該サーバから送信された該識別情報に対応する該パーソナライズ配置情報を受信することと、を含む。
【００３２】
１つの可能な実現形態では、該方法はさらに、該共有端末が該ユーザ端末から送信された、該共有端末が該ユーザの使用前の配置に戻ることを示すためのクリア情報を受信するステップと、該共有端末が該クリア情報に基づき、該共有端末を該ユーザの使用前の配置に戻すステップと、を含む。
【００３３】
第３の態様にて提供される端末は、上記第１の態様又は第１の態様のいずれかの可能な実現形態における方法を実行するために用いられる。具体的には、該端末は、上記第１の態様又は第１の態様のいずれかの可能な実現形態における方法を実行するためのユニットを含む。
【００３４】
第４の態様にて提供される端末は、上記第２の態様又は第２の態様のいずれかの可能な実現形態における方法を実行するために用いられる。具体的には、該端末は、上記第２の態様又は第２の態様のいずれかの可能な実現形態における方法を実行するためのユニットを含む。
【００３５】
第５の態様にて提供される端末は、メモリと、プロセッサと、入力インタフェースと、出力インタフェースと、を含む。そのうち、メモリ、プロセッサ、入力インタフェース及び出力インタフェースはバスシステムを介して接続される。該メモリはコマンドを記憶するために用いられ、該プロセッサは該メモリに記憶されているコマンドを実行するために用いられ、上記第１の態様又は第１の態様のいずれかの可能な実現形態における方法を実行するために用いられる。
【００３６】
第６の態様にて提供される端末は、メモリと、プロセッサと、入力インタフェースと、出力インタフェースと、を含む。そのうち、メモリ、プロセッサ、入力インタフェース及び出力インタフェースはバスシステムを介して接続される。該メモリはコマンドを記憶するために用いられ、該プロセッサは該メモリに記憶されているコマンドを実行するために用いられ、上記第２の態様又は第２の態様のいずれかの可能な実現形態における方法を実行するために用いられる。
【００３７】
第７の態様にて提供されるコンピュータ記憶媒体は、上記第１の態様又は第１の態様のいずれかの可能な実現形態における方法、又は上記第２の態様又は第２の態様のいずれかの可能な実現形態における方法を実行するために使用されるコンピュータソフトウェアコマンドを記憶するために用いられ、上記態様を実行するために設計されるプログラムを含む。
【００３８】
第８の態様にて提供されるコマンドを含むコンピュータプログラム製品は、コンピュータで実行されるとき、コンピュータに上記第１の態様又は第１の態様のいずれかの選択的な実現形態における方法、又は上記第２の態様又は第２の態様のいずれかの選択的な実現形態における方法を実行させる。
【００３９】
本願のこれらの態様又は他の態様は以下の実施例の説明においてより容易に理解される。
【図面の簡単な説明】
【００４０】
【図１】本願の実施例による１つの適用シナリオの概略図を示す。
【図２】本願の実施例による共有端末を制御するための方法の概略ブロック図を示す。
【図３】本願の実施例による共有端末を制御するための方法の別の概略ブロック図を示す。
【図４】本願の実施例による端末の概略ブロック図を示す。
【図５】本願の実施例による端末の別の概略ブロック図を示す。
【図６】本願の実施例による端末のさらなる別の概略ブロック図を示す。
【図７】本願の実施例による端末のさらなる別の概略ブロック図を示す。
【発明を実施するための形態】
【００４１】
以下、本願の実施例における図面を参照しつつ、本願の実施例における技術的解決手段について明瞭、完全に説明する。
【００４２】
本願の実施例の技術的解決手段は、例えば全地球移動通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、又は将来の５Ｇシステムなどの様々な通信システムに適用可能である。
【００４３】
特に、本願の実施例の技術的解決手段は、例えばスパース符号多元接続（Ｓｐａｒｓｅ  Ｃｏｄｅ  Ｍｕｌｔｉｐｌｅ  Ａｃｃｅｓｓ、ＳＣＭＡ）システム、低密度署名（Ｌｏｗ  Ｄｅｎｓｉｔｙ  Ｓｉｇｎａｔｕｒｅ、ＬＤＳ）システムなどの様々な非直交多元接続技術に基づく通信システムに適用可能であり、当然ながら、ＳＣＭＡシステム及びＬＤＳシステムは通信分野において他の名称と呼ばれてもよい。さらに、本願の実施例の技術的解決手段は、例えば非直交多元接続技術を採用する直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）、フィルタグループマルチキャリア（Ｆｉｌｔｅｒ  Ｂａｎｋ  Ｍｕｌｔｉ−Ｃａｒｒｉｅｒ、ＦＢＭＣ）、汎用周波数分割多重（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ、ＧＦＤＭ）、フィルタリング直交周波数分割多重（Ｆｉｌｔｅｒｅｄ−ＯＦＤＭ、Ｆ−ＯＦＤＭ）システムなどの非直交多元接続技術を採用するマルチキャリア伝送システムに適用可能である。
【００４４】
本願の実施例におけるユーザ端末は、多様な形態で具現され得る。例えば、本願の実施例のユーザ端末は、ユーザ設備（Ｕｓｅｒ  Ｅｑｕｉｐｍｅｎｔ、ＵＥ）、アクセス端末、加入者ユニット、加入者局、移動局、移動ステーション、遠隔局、遠隔端末、移動機器、ユーザ端末、端末、無線通信機器、ユーザエージェント又はユーザ装置であってもよい。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタル処理（Ｐｅｒｓｏｎａｌ  Ｄｉｇｉｔａｌ  Ａｓｓｉｓｔａｎｔ、ＰＤＡ）、無線通信機能を有する手持ち機器、コンピューティングデバイス、又はワイヤレスモデムに接続されたその他の処理機器、車載デバイス、ウェアラブルデバイス、将来の５Ｇネットワークにおける端末機器、又は将来の発展型の公衆陸上移動体ネットワーク（Ｐｕｂｌｉｃ  Ｌａｎｄ  Ｍｏｂｉｌｅ  Ｎｅｔｗｏｒｋ、ＰＬＭＮ）における端末機器などであり得るが、本願の実施例はこれを限定しない。
【００４５】
本願の実施例の共有端末も多様な形態で具現され得る。例えば、共有コンピュータ、共有携帯電話、共有自転車、共有自動車、さらには共有テレビなどである。また、該共有端末は、ホテル内のスマートテレビ、スマート冷蔵庫、スマートエアコン、スマート目覚まし時計などであってもよい。航空機に搭載されるスマートシートなどであってもよい。しかし、本願の実施例はこれを例とするに過ぎず、本願の実施例を何らか限定するものではない。
【００４６】
図１は、本願の実施例による１つの適用シナリオの概略図である。図１に示すように、ユーザ端末は、例えば携帯電話であり、コンピュータ、航空機上の他の端末、部屋内の他の端末及び車載端末などをそれぞれ制御することができる。
【００４７】
図２は、本願の実施例による共有端末を制御する１００概略ブロック図を示す。図２に示すように、該方法１００は、以下のステップの一部又は全部を含む。
Ｓ１１０、ユーザ端末が共有端末との接続を確立する。
Ｓ１２０、前記ユーザ端末は、前記共有端末が前記共有端末に対するユーザの配置嗜好を示すためのユーザのパーソナライズ配置情報を取得するようにトリガーする。
【００４８】
なお、本願の実施例のユーザ端末及び共有端末はそれぞれ他の端末と接続するためのインタフェースを備える必要があるが、該インタフェースは、従来定義されたＴｙｐｅ−Ｃインタフェースの拡張のような有線であってもよく、該インタフェースは、またＬＴＥにおけるＳｉｄｅｌｉｎｋ又はＷｉＦｉのような無線であってもよい。
【００４９】
具体的には、ユーザ端末が共有端末を制御したい場合、ユーザ端末は、例えば、相互確認により、事前に共有端末との接続を確立してよい。すなわちユーザ端末はまず共有端末との接続を希望し、また、共有端末はユーザ端末との接続を許可又は可能とする。ユーザ端末と共有端末とが相互確認を行った後、ユーザ端末はあるユーザのパーソナライズ配置情報を共有端末が取得するようにトリガーしてよく、さらに共有端末がユーザのパーソナライズ配置情報に基づいて配置する。例えば、共有端末はコンピュータであり、ユーザ端末は携帯電話である。ユーザは、ユーザが好むコンピュータデスクトップ、通常のソフトウェアの配置、例えばｗｏｒｄを、携帯電話によって共有コンピュータに送信でき、共有コンピュータが携帯電話によって送信されたパーソナライズ配置情報を受信すると、共有コンピュータを自分が好む配置に配置することができる。
【００５０】
したがって、本願の実施例による共有端末を制御するための方法は、ユーザ端末は共有端末がユーザのパーソナライズ配置情報を取得するようにトリガーすることにより、ユーザの嗜好に合せて共有端末を配置でき、さらにユーザの体験を向上させることができる。
【００５１】
選択的に、本願の実施例は以下の幾つかのシナリオに適用可能である。
【００５２】
シナリオ１において、ユーザが外で会議をしている場合や、外で仕事をしている場合には、パソコンなどの関連機器を持ち歩く必要がなく、より強力な処理や表示機能が必要であれば、携帯電話を使用して、会議室の公衆コンピュータやスターバックスの公衆コンピュータなど、自分が接続したい任意の共有端末を接続することで、自分のパソコンとしてパーソナライズすることができる。
【００５３】
シナリオ２において、ユーザが私用航空機、自動車などの公共乗り物に乗るとき、該乗り物を携帯電話で接続することで、ユーザの好み及び慣れを満たすパーソナライズ配置を備えさせ、これらのパーソナライズ配置は携帯電話でクラウドから配置をダウンロードしてもよく、携帯電話で配置してもよく、パーソナライズ配置は乗り物内部の温湿度、好む娯楽番組、座席の柔らかさ及び角度、前後ミラーの角度などを含む。
【００５４】
シナリオ３において、ユーザは新しい都市に来て新しいホテルに入居し、新しい住宅を借り入れ、又は購入した後、携帯電話を該住宅のスマート制御システムに接続することで、住宅に対して携帯電話によって部屋内の温度や湿度、壁及び床の色、目覚まし時計の時間、テレビ放送チャンネル、風呂の温度などを含めるパーソナライズ配置を行うことができる。
【００５５】
理解されるように、上記列挙した幾つかの可能なシナリオは、本願の実施例の適用シナリオの一部に過ぎず、本願の実施例はこれに限定されない。
【００５６】
選択的に、本願の実施例では、該ユーザ端末が共有端末との接続を確立するステップは、該共有端末が該ユーザ端末と接続を確立できると該ユーザ端末が確定する場合、該ユーザ端末が該共有端末に対して、該共有端末に該ユーザ端末との接続を確認するための確認情報を送信することを含む。
【００５７】
具体的には、共有端末との接続を確立できるとユーザ端末が確定した場合、共有端末に確認情報を送信してもよく、該確認情報はデフォルト情報のみであってもよく、共有端末にアクセスする認証情報であってもよい。例えば、共有端末は、ユーザ端末と接続を確立できるとデフォルトしてよく、ユーザ端末が接続情報を送信すると、ユーザ端末は共有端末と接続を確立する。さらに例えば、共有端末は他の端末と接続を確立するための認証情報を設置してよく、共有端末がユーザ端末と接続を確立できる場合、ユーザ端末が共有端末に認証情報を出力する必要があり、例えばパスワードを共有端末でマッチングし、共有端末でマッチングに成功すると、ユーザ端末が共有端末との接続に成功する。
【００５８】
選択的に、本願の実施例では、該方法はさらに、該共有端末から送信された、該共有端末が非占有状態にあることを示すための発見信号を該ユーザ端末が受信するステップと、該ユーザ端末が該発見信号に基づき、該共有端末が該ユーザ端末と接続を確立できると確定するステップと、を含む。
【００５９】
具体的には、共有端末は発見信号を定期的に送信し、ユーザ端末が検出すると、オペレーティングシステムインタフェースを介してユーザに提示し、ユーザはユーザ端末を介して接続を確認することができ、接続時にパスワードを入力し、ユーザ端末と共有端末とのマッチングを図ることができる。
【００６０】
理解されるように、共有端末は、占有されていない場合のみに、発見信号を送信してもよく、すなわち、ユーザ端末が共有端末の発見信号を検出しなければ、ユーザ端末は当該共有端末が占有されていると確定でき、さらにユーザ端末は当該共有端末と接続を確立できない。
【００６１】
例えば、ユーザが携帯電話を持ってホテルの部屋に入室した後、テレビは定期的に発見信号を携帯電話に送信し、携帯電話が該発見信号を検出すると、携帯電話はパスワードを入力してテレビに接続を確認できる。そして、ユーザがテレビを見たい場合には、携帯電話からテレビに、例えば湖南衛星テレビのように頻繁に見るテレビ局の配置を送信でき、テレビを開くと、ユーザがリモコンを持って再生リストで湖南衛星テレビを探すことなく、湖南衛星テレビに移行することができる。
【００６２】
選択的に、本願の実施例では、該方法はさらに、該ユーザ端末が該共有端末に対して、該共有端末との接続を要求するための接続要求情報を送信するステップと、該ユーザ端末が該共有端末から送信された、該共有端末が該ユーザ端末と接続できることを示すための該接続要求情報の応答情報を受信するステップと、該ユーザ端末が該応答情報に基づき、該共有端末が該ユーザ端末と接続を確立できると確定するステップと、を含む。
【００６３】
具体的には、ユーザ端末は共有端末にハンドシェーク情報を送信することができ、共有端末は応答をフィードバックし、ユーザ端末はオペレーティングシステムインタフェースを介してユーザに提示し、ユーザはユーザ端末を介して接続を確認することができ、接続時にパスワードを入力し、ユーザ端末と共有端末とのマッチングを図ることができる。
【００６４】
理解されるように、ここでは共有端末自体はオープンであり、ユーザ端末によるそれに対するパーソナライズ配置を許可する。共有端末が使用中であれば、共有端末はユーザ端末に接続失敗情報をフィードバックでき、そうするとユーザ端末は共有端末との接続が確立されていないことを知ることができる。
【００６５】
例えば、ユーザが携帯電話を持ってスターバックスに入った後、ユーザがスターバックスでオフィスワークを実施する必要がある場合、ユーザは携帯電話を通じて接続要求情報をスターバックスのコンピュータに送信でき、この時点でスターバックスのコンピュータが人に占有されていない場合、該コンピュータはユーザの携帯電話に応答を返すことができ、さらにユーザは携帯電話を通じてクリックして確認でき、そうするとユーザの携帯電話とスターバックスのコンピュータとの接続が成功する。ユーザがｗｏｒｄを使用するとき、通常、背景色を保護色に調整することを想定すると、ユーザは、ｗｏｒｄの背景色を保護色に調整する配置をスターバックスのコンピュータにさらに送信でき、ユーザがスターバックスのコンピュータでのｗｏｒｄを使用するとき、ユーザは、さらに調整せずに、該ｗｏｒｄの背景色が保護色である。
【００６６】
選択的に、本願の実施例では、ユーザ端末はまた共有端末にユーザのデータを送信してもよい。例えば、ユーザがスターバックスのコンピュータを使用する必要がある場合、ユーザはユーザ端末を介してスターバックスのコンピュータにユーザに必要な文書を送信することができる。そうするとユーザは前の文書に基づいて作業を継続することができる。
【００６７】
理解されるように、ユーザのデータはユーザが操作する文書であってもよく、ユーザが好む音楽、又はユーザが好むビデオなどであってもよい。
【００６８】
選択的に、本願の実施例では、該ユーザ端末は、該共有端末がユーザのパーソナライズ配置情報を取得するようにトリガーするステップは、該ユーザ端末が該共有端末に該パーソナライズ配置情報を送信することを含む。
【００６９】
ユーザ端末は共有端末がユーザのパーソナライズ配置情報を取得するようにトリガーすることは、共有端末が直接又は間接的にユーザ端末から取得することであってよい。例えば、ユーザ端末によりユーザのパーソナライズ配置情報を取得し、そしてそれを共有端末に送信し、また、共有端末がユーザのパーソナライズ配置情報を取得することを助けるように、ユーザ端末により共有端末に補助情報を送信してもよい。
【００７０】
選択的に、本願の実施例では、該ユーザ端末が該共有端末にユーザのパーソナライズ配置情報を送信する前に、該方法はさらに、該ユーザ端末が該パーソナライズ配置情報を取得するステップを含む。
【００７１】
ユーザ端末はユーザの全ての共有端末に対するパーソナライズ配置情報を取得し、そして使用待ちの共有端末にそれ自体のパーソナライズ配置情報を送信してもよい。使用待ちの共有端末のみのパーソナライズ配置情報を取得してもよい。例えば、各ユーザの全ての共有端末のパーソナライズ配置情報はパーソナライズ配置データベースであってよい。ユーザ端末がある共有端末のパーソナライズ配置情報を取得したいとき、ユーザ端末はまず該共有端末の識別情報を取得し、さらに該共有端末の識別情報に基づいて該共有端末のパーソナライズ配置情報を検索する。さらに例えば、ユーザ端末が１つの共有端末のみのパーソナライズ配置情報を記憶する場合、該ユーザ端末が該共有端末を使用する必要があるとき、そのパーソナライズ配置情報を該共有端末に直接送信してもよい。ユーザ端末は該ユーザの全ての共有端末に対するパーソナライズ配置情報をある共有端末に直接送信してもよく、該共有端末は自体の識別情報に基づいてそれに対応するパーソナライズ配置情報を取得し、これにより該共有端末に対して配置してよい。
【００７２】
選択的に、本願の実施例では、該ユーザ端末が該パーソナライズ配置情報を取得するステップは、該ユーザ端末が該ユーザの識別情報を取得することと、該ユーザ端末が該識別情報に基づき、少なくとも１つのユーザの識別情報及び該少なくとも１つのユーザの識別情報と１対１に対応する少なくとも１つのパーソナライズ配置情報を含むパーソナライズ配置データベースから該パーソナライズ配置情報を取得することと、を含む。
【００７３】
具体的には、該パーソナライズ配置データベースは、ユーザ端末の内部に記憶されてもよく、他の端末又はサーバのような機器に記憶されてもよく、ユーザ端末があるユーザのパーソナライズ配置情報を取得したいとき、ユーザ端末は他の端末又はサーバに該ユーザの識別情報を送信し、他の端末又はサーバがパーソナライズ配置データベースで該ユーザのパーソナライズ配置情報を検索することができ、そして他の端末又はサーバが検索した該ユーザのパーソナライズ配置情報をユーザ端末に送信することができ、ユーザ端末がさらに共有端末に該ユーザのパーソナライズ配置情報を転送することができる。
【００７４】
選択的に、本願の実施例では、ユーザ端末があるユーザのパーソナライズ配置情報を使用する前に、まずパーソナライズ配置データベースを構築するか又は別所から該パーソナライズ配置データベースを取得してもよい。該パーソナライズ配置データベースは随時更新することができる。
【００７５】
理解されるように、本願の実施例では、ユーザの識別情報はユーザが入力したパスワード情報でもよく、例えば、該パーソナライズ配置データベースはユーザのパスワード及びパーソナライズ配置情報のテーブルであってよい。表１に示すとおりである。
【００７６】
【表１】
2020530600.tif 000003
【００７７】
サーバに表１が記憶されていると仮定すると、ユーザ１がホテルの部屋に入った後、ユーザ１の携帯電話がサーバに該ユーザの識別情報を送信でき、例えばユーザが携帯電話にパスワード１２３４５６７８を入力し、サーバが表１で該ユーザ１のパーソナライズ配置情報を検索するようにトリガーすると、ユーザ１の携帯電話は、エアコン温度が２５度で、コンピュータデスクトップが青空の写真であることを含む該ユーザ１のパーソナライズ配置情報を取得でき、さらにユーザ１の携帯電話がホテルのエアコンにユーザ１のパーソナライズ配置情報を送信することができ、ホテルのエアコンは直接温度を２５度に設置することができる。
【００７８】
選択的に、本願の実施例では、該ユーザ端末は、該共有端末がユーザのパーソナライズ配置情報を取得するようにトリガーするステップは、該共有端末がサーバから該識別情報に対応するパーソナライズ配置情報を取得するように、該ユーザ端末が該共有端末に該ユーザの識別情報を送信することを含む。共有端末がサーバからユーザのパーソナライズ配置情報を取得するように、ユーザ端末は共有端末にユーザの識別情報を送信できる。そのプロセスはユーザ端末がサーバにユーザの識別情報を送信することでユーザのパーソナライズ配置情報を取得するプロセスと類似し、ここでは詳細な説明を省略する。
【００７９】
また理解されるように、該ユーザの識別情報はユーザの生体特徴情報であってもよく、例えば指紋特徴情報、虹彩特徴情報、顔特徴情報、声紋特徴情報、静脈特徴情報及び網膜特徴情報のうちの少なくとも１つであってもよい。
【００８０】
具体的には、該生体特徴情報は現在市場で関連技術の発展が比較的に成熟した指紋識別及び手形識別であってもよく、現在の段階で注目され且つ急速に発展した顔識別であってもよく、さらに虹彩識別、指静脈識別、声紋識別、署名識別、ステップ識別、キーボード叩き習慣識別、デオキシリボ核酸（Ｄｅｏｘｙｒｉｂｏｎｕｃｌｅｉｃ  ａｃｉｄ、ＤＮＡ）識別などの多様の生体識別技術である可能性もあり、ひいては将来生体特徴融合又はマルチモード生体特徴識別技術を用いてユーザの身元を認証する可能性がある。
【００８１】
上記の表１はパスワードと任意の生体特徴を組み合わせてユーザのパーソナライズ配置情報とマッピングすることで得られるものであり得る。本願の実施例は、表１のマッピング関係を限定せず、ユーザの身元を認証できる情報であればパーソナライズ配置情報とマッピングされ得る。
【００８２】
選択的に、本願の実施例では、該方法はさらに、該ユーザ端末が該共有端末に対して、該共有端末が該ユーザの使用前の配置に戻ることを示すためのクリア情報を送信するステップを含む。
【００８３】
すなわち、ユーザが離れるとき、そのユーザ端末が共有端末に指示情報を送信することで、該共有端末が初期設定に戻ることを指示する。例えば、ユーザがホテルの部屋に入る時に携帯電話を介して部屋のエアコンに対してパーソナライズ配置を行い、翌日の１２時に離れ、１２時に自動的にエアコンにコマンドを送信し、以前の設定を戻すように設定することができる。さらに例えば、ユーザ端末が共有端末から切り離されるとき、共有端末が以前の設定に自動的に戻るようにしてもよい。
【００８４】
図３は、本願の実施例による共有端末を制御する概略ブロック図を示す。図３に示すように、該方法２００は、以下のステップの一部又は全部を含む。
Ｓ２１０、共有端末がユーザ端末との接続を確立する。
Ｓ２２０、前記共有端末が受信した前記ユーザ端末から送信された第１の情報に基づき、前記共有端末に対するユーザの配置嗜好を示すためのユーザのパーソナライズ配置情報を取得する。
Ｓ２３０、該共有端末が該パーソナライズ配置情報に基づき、該共有端末に対して配置する。
【００８５】
したがって、本願の実施例による共有端末を制御するための方法は、共有端末が受信したユーザ端末から送信された情報に基づいてユーザのパーソナライズ配置情報を取得することにより、ユーザの嗜好に合せて配置でき、さらにユーザの体験を向上させることができる。
【００８６】
選択的に、本願の実施例では、該共有端末がユーザ端末との接続を確立するステップは、該共有端末が該ユーザ端末に対して、該共有端末が非占有状態にあることを示すための検出情報を送信することと、該共有端末が該ユーザ端末から送信された、該共有端末に該ユーザ端末との接続を確認するための確認情報を受信することと、を含む。
【００８７】
選択的に、本願の実施例では、該共有端末がユーザ端末との接続を確立するステップは、該共有端末が該ユーザ端末から送信された、該共有端末との接続を要求するための接続要求情報を受信することと、該共有端末が該ユーザ端末に対して、該共有端末が該ユーザ端末と接続できることを示すための該接続要求情報の応答情報を送信することと、該共有端末が該ユーザ端末から送信された、該共有端末に該ユーザ端末との接続を確認するための確認情報を受信することと、を含む。
【００８８】
選択的に、本願の実施例では、該第１の情報は該ユーザのパーソナライズ配置情報である。
【００８９】
選択的に、本願の実施例では、該第１の情報が該ユーザの識別情報であり、該共有端末が受信した該ユーザ端末から送信された第１の情報に基づき、ユーザのパーソナライズ配置情報を取得するステップは、該共有端末が該識別情報に基づき、該パーソナライズ配置情報を取得することを含む。
【００９０】
選択的に、本願の実施例では、該共有端末が該識別情報に基づき、該パーソナライズ配置情報を取得することは、該共有端末がサーバに該識別情報を送信することと、該共有端末が該サーバから送信された該識別情報に対応する該パーソナライズ配置情報を受信することと、を含む。
【００９１】
選択的に、本願の実施例では、該方法はさらに、該共有端末が該ユーザ端末から送信された、該共有端末が該ユーザの使用前の配置に戻ることを示すためのクリア情報を受信するステップと、該共有端末が該クリア情報に基づき、該共有端末を該ユーザの使用前の配置に戻すステップと、を含む。
【００９２】
理解されるように、上記各プロセスの番号の大きさは実行順序の前後を意味するものではなく、各プロセスの実行順序はその機能や内部論理によって決定されるべきものであり、本発明の実施例の実施プロセスを何ら限定するものではない。
【００９３】
本願及びその利点が詳細に説明されたが、添付の特許請求の範囲によって定義されるような本願の精神及び範囲から逸脱することなく、本願に様々な変更、置換及び改変を加えることができることが理解されるべきである。
【００９４】
理解されるように、共有端末によって記述される共有端末とユーザ端末との間の相互作用及び関連する特性、機能などは、ユーザ端末の関連する特性、機能に対応する。且つ、関連する内容は、上記方法１００において詳細に説明されているので、簡潔のために、ここではその説明を省略する。
【００９５】
以上、本願の実施例による共有端末を制御するための方法について詳細に説明したが、以下、図４乃至図７を参照して、本願の実施例による装置について説明し、方法の実施例に記載されている技術的特徴は以下の装置の実施例に適用される。
【００９６】
図４は、本願の実施例による端末３００の概略ブロック図を示す。図４に示すように、該端末３００は、
共有端末との接続を確立するための接続確立ユニット３１０と、
該共有端末に対するユーザの配置嗜好を示すためのユーザのパーソナライズ配置情報を該共有端末が取得するようにトリガーするためのトリガーユニット３２０と、を含む。
【００９７】
したがって、本願の実施例による端末は、ユーザのパーソナライズ配置情報を共有端末が取得するようにトリガーすることにより、共有端末をユーザの嗜好に合せて配置でき、さらにユーザの体験を向上させることができる。
【００９８】
選択的に、本願の実施例では、該接続確立ユニットは具体的には、該共有端末が該端末と接続を確立できると該端末が確定する場合、該共有端末に対して、該共有端末に該端末との接続を確認するための確認情報を送信するために用いられる。
【００９９】
選択的に、本願の実施例では、該端末はさらに、該共有端末から送信された、該共有端末が非占有状態にあることを示すための発見信号を受信するための第１の受信ユニットと、該発見信号に基づき、該共有端末が該端末と接続を確立できると確定するための第１の確定ユニットと、を含む。
【０１００】
選択的に、本願の実施例では、該端末はさらに、該共有端末に対して、該共有端末との接続を要求するための接続要求情報を送信するための第１の送信ユニットと、該共有端末から送信された、該共有端末が該端末と接続できることを示すための該接続要求情報の応答情報を受信するための第２の受信ユニットと、該応答情報に基づき、該共有端末が該端末と接続を確立できると確定するための第２の確定ユニットと、を含む。
【０１０１】
選択的に、本願の実施例では、該トリガーユニットは具体的には、該共有端末に該パーソナライズ配置情報を送信するために用いられる。
【０１０２】
選択的に、本願の実施例では、該端末はさらに、該パーソナライズ配置情報を取得するための取得ユニットを含む。
【０１０３】
選択的に、本願の実施例では、該取得ユニットは具体的には、該ユーザの識別情報を取得し、該識別情報に基づき、該パーソナライズ配置情報を取得するために用いられる。
【０１０４】
選択的に、本願の実施例では、該取得ユニットは具体的には、該識別情報に基づき、少なくとも１つのユーザの識別情報及び該少なくとも１つのユーザの識別情報と１対１に対応する少なくとも１つのパーソナライズ配置情報を含む記憶しているパーソナライズ配置データベースから該識別情報に対応するパーソナライズ配置情報を取得するために用いられる。
【０１０５】
選択的に、本願の実施例では、該取得ユニットは具体的には、サーバに該識別情報を送信し、該サーバから送信された該識別情報に対応するパーソナライズ配置情報を受信するために用いられる。
【０１０６】
選択的に、本願の実施例では、該トリガーユニットは具体的には、該共有端末がサーバから該識別情報に対応するパーソナライズ配置情報を取得するように、該共有端末に該ユーザの識別情報を送信するために用いられる。
【０１０７】
選択的に、本願の実施例では、該識別情報はパスワード情報及び／又は生体特徴情報を含む。
【０１０８】
選択的に、本願の実施例では、該生体特徴情報は指紋特徴情報、虹彩特徴情報、顔特徴情報、声紋特徴情報、静脈特徴情報及び網膜特徴情報のうちの少なくとも１つを含む。
【０１０９】
選択的に、本願の実施例では、該端末はさらに、該共有端末に対して、該共有端末が該ユーザの使用前の配置に戻ることを示すためのクリア情報を送信するための第２の送信ユニットを含む。
【０１１０】
理解されるように、本願の実施例による端末３００は、本願の方法例におけるユーザ端末に対応することができ、且つ端末３００の各ユニットの上記及び他の操作及び／又は機能は、それぞれ図２の方法におけるユーザ端末の対応するフローを実現するために用いられ、簡潔のために、ここではその説明を省略する。
【０１１１】
図５は、本願の実施例による端末４００の概略ブロック図を示す。図５に示すように、該端末４００は、
ユーザ端末との接続を確立するための接続確立ユニット４１０と、
受信した該ユーザ端末から送信された第１の情報に基づき、該共有端末に対するユーザの配置嗜好を示すためのユーザのパーソナライズ配置情報を取得するための取得ユニット４２０と、
前記パーソナライズ配置情報に基づき、前記共有端末に対して配置するための配置ユニット４３０と、を含む。
【０１１２】
したがって、本願の実施例による端末は、受信したユーザ端末から送信された情報に基づいてユーザのパーソナライズ配置情報を取得することにより、ユーザの嗜好に合せて配置でき、さらにユーザの体験を向上させることができる。
【０１１３】
選択的に、本願の実施例では、該接続確立ユニットは具体的には、該ユーザ端末に対して、該端末が非占有状態にあることを示すための発見信号を送信し、該ユーザ端末から送信された、該端末に該ユーザ端末との接続を確認するための確認情報を受信するために用いられる。
【０１１４】
選択的に、本願の実施例では、該接続確立ユニットは具体的には、該ユーザ端末から送信された、該端末との接続を要求するための接続要求情報を受信し、該ユーザ端末に対して、該端末が該ユーザ端末と接続できることを示すための該接続要求情報の応答情報を送信し、該ユーザ端末から送信された、該端末に該ユーザ端末との接続を確認するための確認情報を受信するために用いられる。
【０１１５】
選択的に、本願の実施例では、該第１の情報は該ユーザのパーソナライズ配置情報である。
【０１１６】
選択的に、本願の実施例では、該第１の情報が該ユーザの識別情報であり、該取得ユニットは具体的には、該識別情報に基づき、該パーソナライズ配置情報を取得するために用いられる。
【０１１７】
選択的に、本願の実施例では、該取得ユニットは具体的には、サーバに該識別情報を送信し、該サーバから送信された該識別情報に対応する該パーソナライズ配置情報を受信するために用いられる。
【０１１８】
選択的に、本願の実施例では、該端末はさらに、該ユーザ端末から送信された、該端末が該ユーザの使用前の配置に戻ることを示すためのクリア情報を受信するための受信ユニットと、該クリア情報に基づき、該端末を該ユーザの使用前の配置に戻すための復元ユニットと、を含む。
【０１１９】
理解されるように、本願の実施例による端末４００は、本願の方法例における共有端末に対応することができ、且つ端末４００の各ユニットの上記及び他の操作及び／又は機能は、それぞれ図３の方法におけるユーザ端末の対応するフローを実現するために用いられ、簡潔のために、ここではその説明を省略する。
【０１２０】
図６は、本願の実施例による端末５００の概略ブロック図を示す。図６に示される端末機器５００は、無線周波数（Ｒａｄｉｏ  Ｆｒｅｑｕｅｎｃｙ、ＲＦ）回路５１０、メモリ５２０、他の入力機器５３０、ディスプレイ５４０、センサ５５０、オーディオ回路５６０、Ｉ／Ｏサブシステム５７０、プロセッサ５８０、及び電源５９０などの部材を含む。当業者であれば理解されるように、図６に示される端末構造が端末を限定するものではなく、図示されているものよりも多いか又は少ない部材を含んでもよく、又は、特定の部材を組み合わせたり、特定の部材を分割したり、又は、異なる部材で配置したりする。ディスプレイ５４０がユーザインタフェース（Ｕｓｅｒ  Ｉｎｔｅｒｆａｃｅ、ＵＩ）に属し、且つ端末５００が図面で示されているものよりも少ないユーザインタフェースを含んでよいことを、当業者は理解できる。
【０１２１】
以下、図６を参照して端末５００の各構成部材について具体的に説明する。
【０１２２】
ＲＦ回路５１０は、情報の送受信又は通話中の信号の送受信、特に、基地局の下り情報を受信した後、プロセッサ５８０により処理するために使用され得る。また、上りに関わるデータを基地局に送信する。一般に、ＲＦ回路は、アンテナ、少なくとも１つの増幅器、トランシーバ、結合器、低雑音増幅器（Ｌｏｗ  Ｎｏｉｓｅ  Ａｍｐｌｉｆｉｅｒ、ＬＮＡ）、デュプレクサなどを含むが、これらに限定されない。さらに、ＲＦ回路５１０は、無線通信を介してネットワーク及び他の機器と通信することもできる。前記無線通信は、任意の通信標準又はプロトコルを使用し得る。
【０１２３】
メモリ５２０は、ソフトウェアプログラム及びモジュールを記憶するために使用されてよく、プロセッサ５８０は、メモリ５２０に記憶されたソフトウェアプログラム及びモジュールを実行することにより、端末５００の様々な機能アプリケーション及びデータ処理を実行する。メモリ５２０は、オペレーティングシステム、少なくとも１つの機能に必要なアプリケーションプログラム（例えば音声再生機能、画像再生機能など）などを記憶できるプログラム記憶領域と、端末５００の使用に応じて作成されたデータ（例えばオーディオデータ、電話帳など）などを記憶できるデータ記憶領域とを主に含んでよい。さらに、メモリ５２０は、高速ランダムアクセスメモリを含んでもよく、少なくとも１つの磁気ディスク記憶装置、フラッシュメモリ装置、又は他の揮発性固体記憶装置などの不揮発性メモリを含んでもよい。
【０１２４】
他の入力機器５３０は、数字又は文字情報の入力を受け、及び端末５００のユーザ設定及び機能制御に関するキー信号入力を生成するために使用され得る。具体的には、他の入力機器５３０は、物理キーボード、機能キー（例えば音量調節キー、スイッチキーなど）、トラックボール、マウス、ジョイスティック、光学式マウス（光学式マウスは、可視出力を表示しないタッチセンサ面、又はタッチスクリーンによって形成されるタッチセンサ面の延長部である）などのうちの１つ以上を含んでもよいが、これらに限定されない。他の入力機器５３０は、Ｉ／Ｏサブシステム５７０の他の入力機器コントローラ５７１に接続され、他の機器入力コントローラ５７１の制御下でプロセッサ５８０と信号のやり取りを行う。
【０１２５】
ディスプレイ５４０は、ユーザが入力した情報又はユーザに提供された情報及び端末５００の多様なメニューを表示するために使用されてもよく、ユーザ入力を受信することもできる。具体的には、ディスプレイ５４０は、表示パネル５４１と、タッチパネル５４２とを含む。そのうち、表示パネル５４１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で表示パネル５４１を配置してもよい。タッチパネル５４２は、タッチスクリーン、タッチセンサスクリーンなどとも呼ばれ、ユーザによるその上又は近傍における接触又は非接触操作（例えば、ユーザが指、スタイラスなどの任意の適切な物体又は付属物を用いてタッチパネル５４２上又はタッチパネル５４２近傍における操作、また体感操作を含んでもよく、該操作は単点制御操作、多点制御操作などの操作タイプを含む）を収集し、且つ予め設定されたプログラムに従って対応する接続装置を駆動することができる。選択的に、タッチパネル５４２は、タッチ検出装置とタッチコントローラの両方を備えてもよい。そのうち、タッチ検出装置は、ユーザのタッチ方位、姿勢を検出し、且つタッチ操作による信号を検出して、信号をタッチコントローラに伝送する。タッチコントローラはタッチ検出装置からタッチ情報を受信し、且つそれをプロセッサが処理可能な情報に変換し、さらにプロセッサ５８０に送信し、且つプロセッサ５８０からのコマンドを受信して実行することができる。なお、タッチパネル５４２は、抵抗式、静電容量式、赤外線及び表面弾性波などの複数の形態を用いて実現されてもよく、タッチパネル５４２は、今後開発されるいかなる技術を用いて実現されてもよい。さらに、タッチパネル５４２は、表示パネル５４１を覆うことができ、ユーザは、表示パネル５４１に表示されたコンテンツ（ソフトキーボード、仮想マウス、仮想キー、アイコンなどを含むが、これらに限定されない）に応じて、表示パネル５４１に覆われたタッチパネル５４２上又はその近傍で操作を行うことができ、タッチパネル５４２は、その上又は近傍での操作を検出した後、Ｉ／Ｏサブシステム５７０を介してプロセッサ５８０に伝送してユーザ入力を確定し、その後、プロセッサ５８０は、ユーザ入力に応じてＩ／Ｏサブシステム５７０を介して表示パネル５４１に対応する視覚出力を提供する。図５では、タッチパネル５４２と表示パネル５４１とが独立した２つの部材として端末５００の入力及び出力機能を実現するが、幾つかの実施例では、タッチパネル５４２と表示パネル５４１とが一体化されて端末５００の入力及び出力機能を実現してもよい。
【０１２６】
端末５００は、光センサ、モーションセンサ、及び他のセンサのような少なくとも１つのセンサ５５０をさらに含むことができる。具体的には、光センサは、環境光センサ及び接近センサを含んでよく、そのうち、環境光センサは、環境光の明暗に応じて表示パネル５４１の輝度を調節でき、近接センサは、端末５００が耳に移動したとき、表示パネル５４１及び／又はバックライトを消灯できる。モーションセンサの１つとして、加速度計センサは、様々な方向（一般的には３軸）の加速度の大きさを検出でき、静止時の重力の大きさ及び方向を検出でき、携帯電話の姿勢を認識するアプリケーション（例えば、縦横画面切り替え、関連ゲーム、磁力計の姿勢校正）、振動認識関連機能（例えば、歩数計、タップ）などに使用でき、端末５００に備えられるジャイロスコープ、気圧計、湿度計、温度計、赤外線センサなどの他のセンサもここでは説明しない。
【０１２７】
オーディオ回路５６０、スピーカ５６１、マイクロホン５６２は、ユーザと端末５００との間のオーディオインタフェースを提供することができる。オーディオ回路５６０は、受信したオーディオデータを変換した信号をスピーカ５６１に伝送し、スピーカ５６１により音声信号に変換して出力することができる。一方、マイクロホン５６２は、収集した音声信号を信号に変換し、オーディオ回路５６０により受信した後にオーディオデータに変換し、さらにオーディオデータをＲＦ回路５１０に出力して他の携帯電話などに送信したり、オーディオデータをメモリ５２０に出力したりしてさらなる処理を行う。
【０１２８】
Ｉ／Ｏサブシステム５７０は、入出力の外部機器を制御するためのものであり、他の機器入力コントローラ５７１、センサコントローラ５７２、表示コントローラ５７５を含んでもよい。選択的に、１つ又は複数の他の入力制御機器コントローラ５７１は、物理ボタン（プッシュボタン、ロッカーボタンなど）、ダイヤル、スライドスイッチ、ジョイスティック、クリックホイール、光学式マウス（光学式マウスは、可視出力を表示しないタッチセンサ面、又はタッチスクリーンによって形成されるタッチセンサ面の延長部である）を含み得る他の入力機器５３０から信号を受信し、及び／又は他の入力機器５３０に信号を送信する。なお、他の入力制御機器コントローラ５７１は、上記機器のいずれか１つ又は複数に接続されていてもよい。前記Ｉ／Ｏサブシステム５７０内の表示コントローラ５７５は、ディスプレイ５４０から信号を受信し、及び／又はディスプレイ５４０に信号を送信する。ディスプレイ５４０がユーザ入力を検出すると、表示コントローラ５７５は、検出されたユーザ入力をディスプレイ５４０に表示されたユーザインタフェースオブジェクトとの相互作用に変換し、即ち、人間とコンピュータとの相互作用を実現する。センサコントローラ５７２は、１つ又は複数のセンサ５５０から信号を受信し、及び／又は、１つ又は複数のセンサ５５０に信号を送信し得る。
【０１２９】
プロセッサ５８０は、端末５００の制御中枢であり、端末機器全体の各部を各種インタフェースや回線で接続し、メモリ５２０内に記憶されたソフトウェアプログラム及び／又はモジュールを稼動させるか又は実行し、及びメモリ５２０内に記憶されたデータを呼び出すことにより、端末５００の各種機能及び処理データを実行し、これにより端末機器全体の監視を行う。選択的に、プロセッサ５８０は、１つ以上の処理ユニットを備えてもよい。好ましくは、プロセッサ５８０は、オペレーティングシステム、ユーザインタフェース、及びアプリケーションプログラムなどを主に処理するアプリケーションプロセッサと、ワイヤレス通信を主に処理するモデムプロセッサとを統合し得る。上記のモデムプロセッサは、プロセッサ５８０に統合されなくてもよいことが理解される。
【０１３０】
図示されていないが、端末５００は、カメラ、ブルートゥースモジュールなどをさらに含んでもよく、ここでは再び説明しない。
【０１３１】
理解されるように、該端末５００は、本願の実施例による共有端末を制御するための方法におけるユーザ端末に対応することができ、該端末５００は上記方法におけるユーザ端末が実行する方法を実行するための実体ユニットを含むことができる。且つ、該端末５００における各実体ユニット及び上記他の操作及び／又は機能は、それぞれ上記方法の対応するフローのためであり、簡潔のために、ここではその説明を省略する。
【０１３２】
また、本願の実施例におけるプロセッサ５８０は、信号の処理能力を有する集積回路チップであり得ることを理解されたい。実現過程において、上記方法例の各ステップはプロセッサ５８０におけるハードウェアの集積論理回路又はソフトウェア形式のコマンドによって実行されてもよい。上記プロセッサ５８０は、中央処理装置（Ｃｅｎｔｒａｌ  Ｐｒｏｃｅｓｓｉｎｇ  Ｕｎｉｔ、ＣＰＵ）であってもよく、該プロセッサ５８０はまた、他の汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブルロジックデバイス、離散ゲート又はトランジスタロジックデバイス、離散ハードウェアユニットであってもよい。本願の実施例に開示されている各方法、ステップ及びロジックブロック図を実現又は実行できる。汎用プロセッサは、マイクロプロセッサであってもよく、又は該プロセッサ５８０は、任意の通常のプロセッサなどであってもよい。本願の実施例に基づいて開示されている方法のステップは、ハードウェアデコードプロセッサにより実行されてもよく、又はデコードプロセッサにおけるハードウェア及びソフトウェアモジュールの組み合わせにより実行されてもよい。ソフトウェアモジュールはランダムアクセスメモリ、フラッシュメモリ、読み出し専用メモリ、プログラマブル読み出し専用メモリ又は電気的消去可能プログラマブルメモリ、レジスタなどの本分野で公知する成熟記憶媒体に位置してもよい。該記憶媒体はメモリに位置し、プロセッサはメモリ内の情報を読み取り、そのハードウェアと組み合わせて上記方法のステップを実行する。
【０１３３】
また、本願の実施例におけるメモリ５２０は、揮発性メモリ又は不揮発性メモリであってもよく、或いは揮発性メモリ及び不揮発性メモリの両方を含んでもよいことが理解されるべきである。そのうち、不揮発性メモリは、読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能プログラマブル読み出し専用メモリ（Ｅｒａｓａｂｌｅ  ＰＲＯＭ、ＥＰＲＯＭ）、電気的消去可能プログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリは、ランダムアクセスメモリ（Ｒａｎｄｏｍ  Ａｃｃｅｓｓ  Ｍｅｍｏｒｙ、ＲＡＭ）であってもよく、外部キャッシュメモリとして使用される。例示的であるが制限的ではない説明によって、多数の形態のＲＡＭ、例えばスタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期ダイナミックランダムアクセスメモリ（Ｅｎｈａｎｃｅｄ  ＳＤＲＡＭ、ＥＳＤＲＡＭ）、同期リンクダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲ  ＲＡＭ）は利用可能である。なお、本明細書に説明されたシステム及び方法におけるメモリは、以上のもの及び任意の適切なタイプのメモリを含むが、それらに制限されないことを意図する。
【０１３４】
なお、本願の実施例では、「Ａに対応するＢ」とは、ＢがＡに関連していることを意味し、ＡからＢを確定することができることを意味する。ただし、ＡからＢを確定することは、ＡのみからＢを確定することを意味するのではなく、Ａ及び／又は他の情報からＢを確定することもできることをさらに理解されたい。なお、ここでいう用語「及び／又は」は、単に関連のある対象を記述するための関連関係の１種であり、３種類の関係があることを示し、例えば、Ａ及び／又はＢは、Ａが独立に存在する場合、ＡとＢが同時に存在する場合、Ｂが独立に存在する場合を含む。さらに、本明細書では、符号「／」は、一般的に、前後に記載の関連のある対象が「又は」の関係を有することを示す。
【０１３５】
実現過程において、上記方法の各ステップはプロセッサにおけるハードウェアの集積論理回路又はソフトウェア形式のコマンドによって実行されてもよい。本願の実施例に基づいて開示されている上り信号を伝送するための方法のステップは、ハードウェアプロセッサにより実行されてもよく、又はプロセッサにおけるハードウェア及びソフトウェアモジュールの組み合わせにより実行されてもよい。ソフトウェアモジュールはランダムアクセスメモリ、フラッシュメモリ、読み出し専用メモリ、プログラマブル読み出し専用メモリ又は電気的消去可能プログラマブルメモリ、レジスタなどの本分野で公知する成熟記憶媒体に位置してもよい。該記憶媒体はメモリに位置し、プロセッサはメモリ内の情報を読み取り、そのハードウェアと組み合わせて上記方法のステップを実行する。重複を避けるために、その詳細な説明は省略する。
【０１３６】
図７は、本願の実施例による端末６００の概略ブロック図をさらに示す。該端末６００は、図３の方法２００に対応する共有端末のコンテンツを実行するために使用可能な図５の端末４００であってもよい。該端末６００は、入力インタフェース６１０、出力インタフェース６２０、プロセッサ６３０及びメモリ６４０を含み、該入力インタフェース６１０、出力インタフェース６２０、プロセッサ６３０及びメモリ６４０は、バスシステムを介して接続可能となっている。該メモリ６４０は、プログラム、コマンド、又はコードを含むデータを記憶するために使用される。該プロセッサ６３０は、入力インタフェース６１０が信号を受信するように制御し、出力インタフェース６２０が信号を送信するように制御し、及び前述の方法例の操作を完了するように、該メモリ６４０内のプログラム、コマンド又はコードを実行するために用いられる。
【０１３７】
したがって、本願の実施例による端末は、ユーザ端末から送信されたユーザのパーソナライズ配置情報を受信することにより、ユーザの嗜好に合せて配置でき、さらにユーザの体験を向上させることができる。
【０１３８】
理解されるように、本願の実施例では、該プロセッサ６３０は、中央処理装置（Ｃｅｎｔｒａｌ  Ｐｒｏｃｅｓｓｉｎｇ  Ｕｎｉｔ、ＣＰＵ）であってもよく、該プロセッサ６３０はまた、他の汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブルロジックデバイス、離散ゲート又はトランジスタロジックデバイス、離散ハードウェアユニットなどであってもよい。汎用プロセッサは、マイクロプロセッサであってもよく、又は該プロセッサは、任意の通常のプロセッサなどであってもよい。
【０１３９】
該メモリ６４０は、読み出し専用メモリ及びランダムアクセスメモリを含み得、且つプロセッサ６３０にコマンド及びデータを提供する。メモリ６４０の一部は、不揮発性ランダムアクセスメモリをさらに含み得る。例えば、メモリ６４０は、機器タイプの情報をさらに記憶してもよい。
【０１４０】
実現過程において、上記方法の各コンテンツはプロセッサ６３０におけるハードウェアの集積論理回路又はソフトウェア形式のコマンドによって実行されてもよい。本願の実施例に基づいて開示されている方法のコンテンツは、ハードウェアプロセッサにより実行されてもよく、又はプロセッサにおけるハードウェア及びソフトウェアモジュールの組み合わせにより実行されてもよい。ソフトウェアモジュールはランダムアクセスメモリ、フラッシュメモリ、読み出し専用メモリ、プログラマブル読み出し専用メモリ又は電気的消去可能プログラマブルメモリ、レジスタなどの本分野で公知する成熟記憶媒体に位置してもよい。該記憶媒体はメモリ６４０に位置し、プロセッサ６３０はメモリ６４０内の情報を読み取り、そのハードウェアと組み合わせて上記方法のコンテンツを実行する。重複を避けるために、その詳細な説明は省略する。
【０１４１】
１つの具体的な実施形態において、端末４００における第１の受信ユニット及び第２の受信ユニットは図７での入力インタフェース６１０によって具現され、端末４００における接続確立ユニット及び復元ユニットは図７でのプロセッサ６３０によって具現されてよい。
【０１４２】
本願の実施例は、複数のアプリケーションプログラムを含む携帯型電子機器によって実行されると、図２及び／又は図３に示す実施例の方法を該携帯型電子機器に実行させることができるコマンドを含む１つ又は複数のプログラムを記憶するコンピュータ読み取り可能な記憶媒体をさらに提供する。
【０１４３】
当業者が分かるように、本明細書に開示されている実施例に基づいて説明された各例示的なユニット及びアルゴリズムステップは、電子ハードウェア、又はコンピュータソフトウェア及び電子ハードウェアの組み合わせによって実現できる。これらの機能がハードウェアで実行されるか、ソフトウェアで実行されるかは、技術案の特定応用及び設計上の制約条件に依存する。当業者であれば、特定応用ごとに異なる方法を用いて説明された機能を実現できるが、このような実現は本願の実施例の範囲に含まれる。
【０１４４】
当業者にとって明らかなように、説明の便利さ及び簡素化から、上記説明したシステム、装置及びユニットの具体的な作動過程については、前述方法例における対応過程を参照すればよく、ここで詳細な説明を省略する。
【０１４５】
本願による幾つかの実施例では、理解されるように、開示されているシステム、装置及び方法は、その他の形態により実施することもできる。例えば、以上に説明された装置の実施例は例示的なものに過ぎない。例えば、前記ユニットの分割は、論理機能上の分割に過ぎず、実施する際に別の形態で分割することもでき、例えば、複数のユニット又は部品を別のシステムに組み合わせもしくは集積させたり、又は一部の特徴を反映させず、実行しなかったりしてもよい。また、説明又は検討した互いの結合又は直接的な結合又は通信接続は、幾つかのインタフェース、装置又はユニットを用いる間接的接続又は通信接続とすることもでき、電気的形態、機械的形態又はその他の形態とすることもできる。
【０１４６】
前記分離部材として説明したユニットは、物理的に分離されるものでもよければ、分離されないものであってもよい。ユニットとして示される部材は、物理的なユニットであってもよいが、物理的なユニットでなくてもよい。即ち、同一の場所に設けられるものであってもよいが、複数のネットワークユニットに配置されるものであってもよい。必要に応じて、一部のユニットのみを用いるか、又は全てのユニットを使用して本実施例の手段の目的を達成することができる。
【０１４７】
また、本願の各実施例において、各機能ユニットが１つの処理ユニットに集積されてもよいが、各ユニットが単独で物理的な部材として存在するか、又は２つ以上のユニットが１つのユニットに集積されてもよい。
【０１４８】
前記機能は、ソフトウェア機能ユニットの形態として実現され且つ独立した製品として販売又は使用される場合、コンピュータ読み取り可能な記憶媒体に記憶できる。このような知見に基づいて、本願の実施例の技術案では、本質的に、又は、従来技術に貢献する部分又は該技術案の一部は、ソフトウェア製品の形態として実現でき、該コンピュータソフトウェア製品は、記憶媒体に記憶されており、コンピュータ機器（パソコン、サーバ、又はネットワーク機器など）に本願の各実施例の前記方法の全部又は一部のステップを実行させる幾つかのコマンドを含む。前述の記憶媒体は、Ｕディスク、モバイルディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなどのプロクラムコードを記憶可能な種々の媒体を含む。
【０１４９】
以上は、本願の実施例の具体的な実施形態に過ぎず、本願の実施例の保護範囲はそれに制限されず、当業者であれば、本願の実施例に開示されている技術範囲内で容易に想到し得る変化又は置換は、いずれも本願の実施例の保護範囲に含まれる。したがって、本願の実施例の保護範囲は前記特許請求の範囲の保護範囲に準じる。
【図１】
2020530600.tif 000004
【図２】
2020530600.tif 000005
【図３】
2020530600.tif 000006
【図４】
2020530600.tif 000007
【図５】
2020530600.tif 000008
【図６】
2020530600.tif 000009
【図７】
2020530600.tif 000010
【手続補正書】
【提出日】令和2年6月8日(2020.6.8)
【手続補正１】
【補正対象書類名】明細書
【補正対象項目名】全文
【補正方法】変更
【補正の内容】
【発明の詳細な説明】
【技術分野】
【０００１】
本願の実施例は、通信分野に関し、さらに具体的には、共有機器を制御するための方法及び端末に関する。
【背景技術】
【０００２】
将来の生活では、共有モードはますます広まりつつあるモードとなり、ユーザは自転車共有、自動車共有、さらには、将来のコンピュータ共有、テレビ共有が可能となるが、共有にはパーソナライズの除去問題がある。例えば、ユーザによっては、自分のコンピュータでのｗｏｒｄ文書の背景色を保護色にする傾向があり、ユーザが共有コンピュータでのｗｏｒｄを使用してオフィスワークを実施する必要がある場合、共有コンピュータの配置は通常初期配置であるため、ユーザは手動で配置するか、又は初期配置を使用する必要があり、ユーザの体験が悪い。
【発明の概要】
【発明が解決しようとする課題】
【０００３】
これに鑑みて、本願の実施例は、共有端末を制御するための方法及び端末を提供し、ユーザの体験を向上させるのに役立つ。
【課題を解決するための手段】
【０００４】
第１の態様にて提供される共有端末を制御するための方法は、ユーザ端末が共有端末との接続を確立するステップと、該ユーザ端末は、該共有端末が該共有端末に対するユーザの配置嗜好を示すためのユーザのパーソナライズ配置情報を取得するようにトリガーするステップと、を含む。
【０００５】
一実施形態において、本願の実施例のユーザ端末及び共有端末はそれぞれ他の端末と接続するためのインタフェースを備える必要があるが、該インタフェースは、従来定義されたＣタイプ（Ｔｙｐｅ−Ｃ）インタフェースの拡張などの有線であってもよく、該インタフェースは、またロングタームエボリューション（Ｌｏｎｇ  Ｔｅｒｍ  Ｅｖｏｌｕｔｉｏｎ、ＬＴＥ）におけるサイドリンク（Ｓｉｄｅｌｉｎｋ）又はワイヤレスフィデリティ（Ｗｉｒｅｌｅｓｓ  Ｆｉｄｅｌｉｔｙ、ＷｉＦｉ）などの無線であってもよい。
【０００６】
ユーザ端末は共有端末がユーザのパーソナライズ配置情報を取得するようにトリガーすることにより、ユーザの嗜好に合せて共有端末を配置でき、さらにユーザの体験を向上させることができる。
【０００７】
１つの可能な実現形態では、該ユーザ端末が共有端末との接続を確立するステップは、該共有端末が該ユーザ端末と接続を確立できると該ユーザ端末が確定する場合、該ユーザ端末が該共有端末に対して、該共有端末に該ユーザ端末との接続を確認するための確認情報を送信することを含む。
【０００８】
一実施形態において、該確認情報は、デフォルト情報のみであってもよく、共有端末にアクセスする認証情報であってもよい。すなわちユーザ端末が接続確認時に共有端末に１つのパスワードを入力し、共有端末がマッチングを行うことができる。
【０００９】
１つの可能な実現形態では、該方法はさらに、該共有端末から送信された、該共有端末が非占有状態にあることを示すための発見信号を該ユーザ端末が受信するステップと、該ユーザ端末が該発見信号に基づき、該共有端末が該ユーザ端末と接続を確立できると確定するステップと、を含む。
【００１０】
１つの可能な実現形態では、該方法はさらに、該ユーザ端末が該共有端末に対して、該共有端末との接続を要求するための接続要求情報を送信するステップと、該ユーザ端末が該共有端末から送信された、該共有端末が該ユーザ端末と接続できることを示すための該接続要求情報の応答情報を受信するステップと、該ユーザ端末が該応答情報に基づき、該共有端末が該ユーザ端末と接続を確立できると確定するステップと、を含む。
【００１１】
一実施形態において、共有端末が占有されるとき、共有端末はユーザ端末に発見信号を送信しない。或いは共有端末はユーザ端末の要求に応答せず、すなわち共有端末はユーザ端末の接続を拒否してもよい。
【００１２】
一実施形態において、本願の実施例では、ユーザ端末はさらに共有端末にユーザのデータを送信してもよい。ユーザのデータはユーザが操作する文書であってもよく、ユーザが好む音楽、又はユーザが好むビデオなどであってもよい。
【００１３】
１つの可能な実現形態では、該ユーザ端末は、該共有端末がユーザのパーソナライズ配置情報を取得するようにトリガーするステップは、該ユーザ端末が該共有端末に該パーソナライズ配置情報を送信することを含む。
【００１４】
ユーザ端末は共有端末にパーソナライズ配置情報を直接送信し、操作がシンプルで、容易に実現する。
【００１５】
１つの可能な実現形態では、該ユーザ端末が該共有端末にユーザのパーソナライズ配置情報を送信する前に、該方法はさらに、該ユーザ端末が該パーソナライズ配置情報を取得するステップを含む。
【００１６】
１つの可能な実現形態では、該ユーザ端末が該パーソナライズ配置情報を取得するステップは、該ユーザ端末が該ユーザの識別情報を取得することと、該ユーザ端末が該識別情報に基づき、該パーソナライズ配置情報を取得することと、を含む。
【００１７】
１つの可能な実現形態では、該ユーザ端末が該識別情報に基づき、該パーソナライズ配置情報を取得することは、該ユーザ端末が該識別情報に基づき、少なくとも１つのユーザの識別情報及び該少なくとも１つのユーザの識別情報と１対１に対応する少なくとも１つのパーソナライズ配置情報を含む記憶しているパーソナライズ配置データベースから該識別情報に対応するパーソナライズ配置情報を取得することを含む。
【００１８】
一実施形態において、該パーソナライズ配置データベースはユーザ端末に記憶されてもよく、他の端末又はサーバに記憶されてもよく、ユーザ端末が共有端末にユーザのパーソナライズ配置情報を送信する必要があるとき、他の端末又はサーバにユーザの識別情報を送信して該パーソナライズ配置データベースからユーザに対応するパーソナライズ配置情報を取得してよい。
【００１９】
１つの可能な実現形態では、該ユーザ端末が該識別情報に基づき、該パーソナライズ配置情報を取得することは、該ユーザ端末がサーバに該識別情報を送信することと、該ユーザ端末が該サーバから送信された該識別情報に対応するパーソナライズ配置情報を受信することと、を含む。
【００２０】
１つの可能な実現形態では、該ユーザ端末は、該共有端末がユーザのパーソナライズ配置情報を取得するようにトリガーするステップは、該共有端末がサーバから該識別情報に対応するパーソナライズ配置情報を取得するように、該ユーザ端末が該共有端末に該ユーザの識別情報を送信することを含む。
【００２１】
ユーザのパーソナライズ配置情報は、ユーザ端末のメモリを占有せず、サーバに記憶されてもよい。
【００２２】
１つの可能な実現形態では、該識別情報はパスワード情報及び／又は生体特徴情報を含む。
【００２３】
該パーソナライズ配置データベースは、１つのテーブルであってよく、該テーブルはユーザの識別情報とパーソナライズ配置情報との対応関係テーブルであり、例えば、ユーザが入力したパスワードとパーソナライズ配置情報との対応関係テーブルであってもよく、ユーザの生体特徴情報とパーソナライズ配置情報との対応関係テーブルであってもよく、パスワード及び生体特徴情報の両方とパーソナライズ配置情報との対応関係テーブルであってもよい。
【００２４】
１つの可能な実現形態では、該生体特徴情報は指紋特徴情報、虹彩特徴情報、顔特徴情報、声紋特徴情報、静脈特徴情報及び網膜特徴情報のうちの少なくとも１つを含む。
【００２５】
１つの可能な実現形態では、該方法はさらに、該ユーザ端末が該共有端末に対して、該共有端末が該ユーザの使用前の配置に戻ることを示すためのクリア情報を送信するステップを含む。
【００２６】
第２の態様にて提供される共有端末を制御するための方法は、共有端末がユーザ端末との接続を確立するステップと、該共有端末が受信した該ユーザ端末から送信された第１の情報に基づき、該共有端末に対するユーザの配置嗜好を示すためのユーザのパーソナライズ配置情報を取得するステップと、該共有端末が該パーソナライズ配置情報に基づき、該共有端末に対して配置するステップと、を含む。
【００２７】
１つの可能な実現形態では、該共有端末がユーザ端末との接続を確立するステップは、該共有端末が該ユーザ端末に対して、該共有端末が非占有状態にあることを示すための発見信号を送信することと、該共有端末が該ユーザ端末から送信された、該共有端末に該ユーザ端末との接続を確認するための確認情報を受信することと、を含む。
【００２８】
１つの可能な実現形態では、該共有端末がユーザ端末との接続を確立するステップは、該共有端末が該ユーザ端末から送信された、該共有端末との接続を要求するための接続要求情報を受信することと、該共有端末が該ユーザ端末に対して、該共有端末が該ユーザ端末と接続できることを示すための該接続要求情報の応答情報を送信することと、該共有端末が該ユーザ端末から送信された、該共有端末に該ユーザ端末との接続を確認するための確認情報を受信することと、を含む。
【００２９】
１つの可能な実現形態では、該第１の情報は該ユーザのパーソナライズ配置情報である。
【００３０】
１つの可能な実現形態では、該第１の情報が該ユーザの識別情報であり、該共有端末が受信した該ユーザ端末から送信された第１の情報に基づき、ユーザのパーソナライズ配置情報を取得するステップは、該共有端末が該識別情報に基づき、該パーソナライズ配置情報を取得することを含む。
【００３１】
１つの可能な実現形態では、該共有端末が該識別情報に基づき、該パーソナライズ配置情報を取得することは、該共有端末がサーバに該識別情報を送信することと、該共有端末が該サーバから送信された該識別情報に対応する該パーソナライズ配置情報を受信することと、を含む。
【００３２】
１つの可能な実現形態では、該方法はさらに、該共有端末が該ユーザ端末から送信された、該共有端末が該ユーザの使用前の配置に戻ることを示すためのクリア情報を受信するステップと、該共有端末が該クリア情報に基づき、該共有端末を該ユーザの使用前の配置に戻すステップと、を含む。
【００３３】
第３の態様にて提供される端末は、上記第１の態様又は第１の態様のいずれかの可能な実現形態における方法を実行するために用いられる。具体的には、該端末は、上記第１の態様又は第１の態様のいずれかの可能な実現形態における方法を実行するためのユニットを含む。
【００３４】
第４の態様にて提供される端末は、上記第２の態様又は第２の態様のいずれかの可能な実現形態における方法を実行するために用いられる。具体的には、該端末は、上記第２の態様又は第２の態様のいずれかの可能な実現形態における方法を実行するためのユニットを含む。
【００３５】
第５の態様にて提供される端末は、メモリと、プロセッサと、入力インタフェースと、出力インタフェースと、を含む。そのうち、メモリ、プロセッサ、入力インタフェース及び出力インタフェースはバスシステムを介して接続される。該メモリはコマンドを記憶するために用いられ、該プロセッサは該メモリに記憶されているコマンドを実行するために用いられ、上記第１の態様又は第１の態様のいずれかの可能な実現形態における方法を実行するために用いられる。
【００３６】
第６の態様にて提供される端末は、メモリと、プロセッサと、入力インタフェースと、出力インタフェースと、を含む。そのうち、メモリ、プロセッサ、入力インタフェース及び出力インタフェースはバスシステムを介して接続される。該メモリはコマンドを記憶するために用いられ、該プロセッサは該メモリに記憶されているコマンドを実行するために用いられ、上記第２の態様又は第２の態様のいずれかの可能な実現形態における方法を実行するために用いられる。
【００３７】
第７の態様にて提供されるコンピュータ記憶媒体は、上記第１の態様又は第１の態様のいずれかの可能な実現形態における方法、又は上記第２の態様又は第２の態様のいずれかの可能な実現形態における方法を実行するために使用されるコンピュータソフトウェアコマンドを記憶するために用いられ、上記態様を実行するために設計されるプログラムを含む。
【００３８】
第８の態様にて提供されるコマンドを含むコンピュータプログラム製品は、コンピュータで実行されるとき、コンピュータに上記第１の態様又は第１の態様のいずれかの選択的な実現形態における方法、又は上記第２の態様又は第２の態様のいずれかの選択的な実現形態における方法を実行させる。
【００３９】
本願のこれらの態様又は他の態様は以下の実施例の説明においてより容易に理解される。
【図面の簡単な説明】
【００４０】
【図１】本願の実施例による１つの適用シナリオの概略図を示す。
【図２】本願の実施例による共有端末を制御するための方法の概略ブロック図を示す。
【図３】本願の実施例による共有端末を制御するための方法の別の概略ブロック図を示す。
【図４】本願の実施例による端末の概略ブロック図を示す。
【図５】本願の実施例による端末の別の概略ブロック図を示す。
【図６】本願の実施例による端末のさらなる別の概略ブロック図を示す。
【図７】本願の実施例による端末のさらなる別の概略ブロック図を示す。
【発明を実施するための形態】
【００４１】
以下、本願の実施例における図面を参照しつつ、本願の実施例における技術的解決手段について明瞭、完全に説明する。
【００４２】
本願の実施例の技術的解決手段は、例えば全地球移動通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、又は将来の５Ｇシステムなどの様々な通信システムに適用可能である。
【００４３】
特に、本願の実施例の技術的解決手段は、例えばスパース符号多元接続（Ｓｐａｒｓｅ  Ｃｏｄｅ  Ｍｕｌｔｉｐｌｅ  Ａｃｃｅｓｓ、ＳＣＭＡ）システム、低密度署名（Ｌｏｗ  Ｄｅｎｓｉｔｙ  Ｓｉｇｎａｔｕｒｅ、ＬＤＳ）システムなどの様々な非直交多元接続技術に基づく通信システムに適用可能であり、当然ながら、ＳＣＭＡシステム及びＬＤＳシステムは通信分野において他の名称と呼ばれてもよい。さらに、本願の実施例の技術的解決手段は、例えば非直交多元接続技術を採用する直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）、フィルタグループマルチキャリア（Ｆｉｌｔｅｒ  Ｂａｎｋ  Ｍｕｌｔｉ−Ｃａｒｒｉｅｒ、ＦＢＭＣ）、汎用周波数分割多重（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ、ＧＦＤＭ）、フィルタリング直交周波数分割多重（Ｆｉｌｔｅｒｅｄ−ＯＦＤＭ、Ｆ−ＯＦＤＭ）システムなどの非直交多元接続技術を採用するマルチキャリア伝送システムに適用可能である。
【００４４】
本願の実施例におけるユーザ端末は、多様な形態で具現され得る。例えば、本願の実施例のユーザ端末は、ユーザ設備（Ｕｓｅｒ  Ｅｑｕｉｐｍｅｎｔ、ＵＥ）、アクセス端末、加入者ユニット、加入者局、移動局、移動ステーション、遠隔局、遠隔端末、移動機器、ユーザ端末、端末、無線通信機器、ユーザエージェント又はユーザ装置であってもよい。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタル処理（Ｐｅｒｓｏｎａｌ  Ｄｉｇｉｔａｌ  Ａｓｓｉｓｔａｎｔ、ＰＤＡ）、無線通信機能を有する手持ち機器、コンピューティングデバイス、又はワイヤレスモデムに接続されたその他の処理機器、車載デバイス、ウェアラブルデバイス、将来の５Ｇネットワークにおける端末機器、又は将来の発展型の公衆陸上移動体ネットワーク（Ｐｕｂｌｉｃ  Ｌａｎｄ  Ｍｏｂｉｌｅ  Ｎｅｔｗｏｒｋ、ＰＬＭＮ）における端末機器などであり得るが、本願の実施例はこれを限定しない。
【００４５】
本願の実施例の共有端末も多様な形態で具現され得る。例えば、共有コンピュータ、共有携帯電話、共有自転車、共有自動車、さらには共有テレビなどである。また、該共有端末は、ホテル内のスマートテレビ、スマート冷蔵庫、スマートエアコン、スマート目覚まし時計などであってもよい。航空機に搭載されるスマートシートなどであってもよい。しかし、本願の実施例はこれを例とするに過ぎず、本願の実施例を何らか限定するものではない。
【００４６】
図１は、本願の実施例による１つの適用シナリオの概略図である。図１に示すように、ユーザ端末は、例えば携帯電話であり、コンピュータ、航空機上の他の端末、部屋内の他の端末及び車載端末などをそれぞれ制御することができる。
【００４７】
図２は、本願の実施例による共有端末を制御する方法の概略ブロック図を示す。図２に示すように、該方法１００は、以下のステップの一部又は全部を含む。
Ｓ１１０、ユーザ端末が共有端末との接続を確立する。
Ｓ１２０、前記ユーザ端末は、前記共有端末が前記共有端末に対するユーザの配置嗜好を示すためのユーザのパーソナライズ配置情報を取得するようにトリガーする。
【００４８】
なお、本願の実施例のユーザ端末及び共有端末はそれぞれ他の端末と接続するためのインタフェースを備える必要があるが、該インタフェースは、従来定義されたＴｙｐｅ−Ｃインタフェースの拡張のような有線であってもよく、該インタフェースは、またＬＴＥにおけるＳｉｄｅｌｉｎｋ又はＷｉＦｉのような無線であってもよい。
【００４９】
具体的には、ユーザ端末が共有端末を制御したい場合、ユーザ端末は、例えば、相互確認により、事前に共有端末との接続を確立してよい。すなわちユーザ端末はまず共有端末との接続を希望し、また、共有端末はユーザ端末との接続を許可又は可能とする。ユーザ端末と共有端末とが相互確認を行った後、ユーザ端末はあるユーザのパーソナライズ配置情報を共有端末が取得するようにトリガーしてよく、さらに共有端末がユーザのパーソナライズ配置情報に基づいて配置する。例えば、共有端末はコンピュータであり、ユーザ端末は携帯電話である。ユーザは、ユーザが好むコンピュータデスクトップ、通常のソフトウェアの配置、例えばｗｏｒｄを、携帯電話によって共有コンピュータに送信でき、共有コンピュータが携帯電話によって送信されたパーソナライズ配置情報を受信すると、共有コンピュータを自分が好む配置に配置することができる。
【００５０】
したがって、本願の実施例による共有端末を制御するための方法は、ユーザ端末は共有端末がユーザのパーソナライズ配置情報を取得するようにトリガーすることにより、ユーザの嗜好に合せて共有端末を配置でき、さらにユーザの体験を向上させることができる。  
【００５１】
本願の実施例は以下の幾つかのシナリオに適用可能である。
【００５２】
シナリオ１において、ユーザが外で会議をしている場合や、外で仕事をしている場合には、パソコンなどの関連機器を持ち歩く必要がなく、より強力な処理や表示機能が必要であれば、携帯電話を使用して、会議室の公衆コンピュータやスターバックスの公衆コンピュータなど、自分が接続したい任意の共有端末を接続することで、自分のパソコンとしてパーソナライズすることができる。
【００５３】
シナリオ２において、ユーザが私用航空機、自動車などの公共乗り物に乗るとき、該乗り物を携帯電話で接続することで、ユーザの好み及び慣れを満たすパーソナライズ配置を備えさせ、これらのパーソナライズ配置は携帯電話でクラウドから配置をダウンロードしてもよく、携帯電話で配置してもよく、パーソナライズ配置は乗り物内部の温湿度、好む娯楽番組、座席の柔らかさ及び角度、前後ミラーの角度などを含む。
【００５４】
シナリオ３において、ユーザは新しい都市に来て新しいホテルに入居し、新しい住宅を借り入れ、又は購入した後、携帯電話を該住宅のスマート制御システムに接続することで、住宅に対して携帯電話によって部屋内の温度や湿度、壁及び床の色、目覚まし時計の時間、テレビ放送チャンネル、風呂の温度などを含めるパーソナライズ配置を行うことができる。
【００５５】
理解されるように、上記列挙した幾つかの可能なシナリオは、本願の実施例の適用シナリオの一部に過ぎず、本願の実施例はこれに限定されない。
【００５６】
本願の実施例では、該ユーザ端末が共有端末との接続を確立するステップは、該共有端末が該ユーザ端末と接続を確立できると該ユーザ端末が確定する場合、該ユーザ端末が該共有端末に対して、該共有端末に該ユーザ端末との接続を確認するための確認情報を送信することを含む。
【００５７】
具体的には、共有端末との接続を確立できるとユーザ端末が確定した場合、共有端末に確認情報を送信してもよく、該確認情報はデフォルト情報のみであってもよく、共有端末にアクセスする認証情報であってもよい。例えば、共有端末は、ユーザ端末と接続を確立できるとデフォルトしてよく、ユーザ端末が接続情報を送信すると、ユーザ端末は共有端末と接続を確立する。さらに例えば、共有端末は他の端末と接続を確立するための認証情報を設置してよく、共有端末がユーザ端末と接続を確立できる場合、ユーザ端末が共有端末に認証情報を出力する必要があり、例えばパスワードを共有端末でマッチングし、共有端末でマッチングに成功すると、ユーザ端末が共有端末との接続に成功する。
【００５８】
本願の実施例では、該方法はさらに、該共有端末から送信された、該共有端末が非占有状態にあることを示すための発見信号を該ユーザ端末が受信するステップと、該ユーザ端末が該発見信号に基づき、該共有端末が該ユーザ端末と接続を確立できると確定するステップと、を含む。
【００５９】
具体的には、共有端末は発見信号を定期的に送信し、ユーザ端末が検出すると、オペレーティングシステムインタフェースを介してユーザに提示し、ユーザはユーザ端末を介して接続を確認することができ、接続時にパスワードを入力し、ユーザ端末と共有端末とのマッチングを図ることができる。
【００６０】
理解されるように、共有端末は、占有されていない場合のみに、発見信号を送信してもよく、すなわち、ユーザ端末が共有端末の発見信号を検出しなければ、ユーザ端末は当該共有端末が占有されていると確定でき、さらにユーザ端末は当該共有端末と接続を確立できない。
【００６１】
例えば、ユーザが携帯電話を持ってホテルの部屋に入室した後、テレビは定期的に発見信号を携帯電話に送信し、携帯電話が該発見信号を検出すると、携帯電話はパスワードを入力してテレビに接続を確認できる。そして、ユーザがテレビを見たい場合には、携帯電話からテレビに、例えば湖南衛星テレビのように頻繁に見るテレビ局の配置を送信でき、テレビを開くと、ユーザがリモコンを持って再生リストで湖南衛星テレビを探すことなく、湖南衛星テレビに移行することができる。
【００６２】
本願の実施例では、該方法はさらに、該ユーザ端末が該共有端末に対して、該共有端末との接続を要求するための接続要求情報を送信するステップと、該ユーザ端末が該共有端末から送信された、該共有端末が該ユーザ端末と接続できることを示すための該接続要求情報の応答情報を受信するステップと、該ユーザ端末が該応答情報に基づき、該共有端末が該ユーザ端末と接続を確立できると確定するステップと、を含む。
【００６３】
具体的には、ユーザ端末は共有端末にハンドシェーク情報を送信することができ、共有端末は応答をフィードバックし、ユーザ端末はオペレーティングシステムインタフェースを介してユーザに提示し、ユーザはユーザ端末を介して接続を確認することができ、接続時にパスワードを入力し、ユーザ端末と共有端末とのマッチングを図ることができる。
【００６４】
理解されるように、ここでは共有端末自体はオープンであり、ユーザ端末によるそれに対するパーソナライズ配置を許可する。共有端末が使用中であれば、共有端末はユーザ端末に接続失敗情報をフィードバックでき、そうするとユーザ端末は共有端末との接続が確立されていないことを知ることができる。
【００６５】
例えば、ユーザが携帯電話を持ってスターバックスに入った後、ユーザがスターバックスでオフィスワークを実施する必要がある場合、ユーザは携帯電話を通じて接続要求情報をスターバックスのコンピュータに送信でき、この時点でスターバックスのコンピュータが人に占有されていない場合、該コンピュータはユーザの携帯電話に応答を返すことができ、さらにユーザは携帯電話を通じてクリックして確認でき、そうするとユーザの携帯電話とスターバックスのコンピュータとの接続が成功する。ユーザがｗｏｒｄを使用するとき、通常、背景色を保護色に調整することを想定すると、ユーザは、ｗｏｒｄの背景色を保護色に調整する配置をスターバックスのコンピュータにさらに送信でき、ユーザがスターバックスのコンピュータでのｗｏｒｄを使用するとき、ユーザは、さらに調整せずに、該ｗｏｒｄの背景色が保護色である。
【００６６】
本願の実施例では、ユーザ端末はまた共有端末にユーザのデータを送信してもよい。例えば、ユーザがスターバックスのコンピュータを使用する必要がある場合、ユーザはユーザ端末を介してスターバックスのコンピュータにユーザに必要な文書を送信することができる。そうするとユーザは前の文書に基づいて作業を継続することができる。
【００６７】
理解されるように、ユーザのデータはユーザが操作する文書であってもよく、ユーザが好む音楽、又はユーザが好むビデオなどであってもよい。
【００６８】
本願の実施例では、該ユーザ端末は、該共有端末がユーザのパーソナライズ配置情報を取得するようにトリガーするステップは、該ユーザ端末が該共有端末に該パーソナライズ配置情報を送信することを含む。
【００６９】
ユーザ端末は共有端末がユーザのパーソナライズ配置情報を取得するようにトリガーすることは、共有端末が直接又は間接的にユーザ端末から取得することであってよい。例えば、ユーザ端末によりユーザのパーソナライズ配置情報を取得し、そしてそれを共有端末に送信し、また、共有端末がユーザのパーソナライズ配置情報を取得することを助けるように、ユーザ端末により共有端末に補助情報を送信してもよい。
【００７０】
本願の実施例では、該ユーザ端末が該共有端末にユーザのパーソナライズ配置情報を送信する前に、該方法はさらに、該ユーザ端末が該パーソナライズ配置情報を取得するステップを含む。
【００７１】
ユーザ端末はユーザの全ての共有端末に対するパーソナライズ配置情報を取得し、そして使用待ちの共有端末にそれ自体のパーソナライズ配置情報を送信してもよい。使用待ちの共有端末のみのパーソナライズ配置情報を取得してもよい。例えば、各ユーザの全ての共有端末のパーソナライズ配置情報はパーソナライズ配置データベースであってよい。ユーザ端末がある共有端末のパーソナライズ配置情報を取得したいとき、ユーザ端末はまず該共有端末の識別情報を取得し、さらに該共有端末の識別情報に基づいて該共有端末のパーソナライズ配置情報を検索する。さらに例えば、ユーザ端末が１つの共有端末のみのパーソナライズ配置情報を記憶する場合、該ユーザ端末が該共有端末を使用する必要があるとき、そのパーソナライズ配置情報を該共有端末に直接送信してもよい。ユーザ端末は該ユーザの全ての共有端末に対するパーソナライズ配置情報をある共有端末に直接送信してもよく、該共有端末は自体の識別情報に基づいてそれに対応するパーソナライズ配置情報を取得し、これにより該共有端末に対して配置してよい。
【００７２】
本願の実施例では、該ユーザ端末が該パーソナライズ配置情報を取得するステップは、該ユーザ端末が該ユーザの識別情報を取得することと、該ユーザ端末が該識別情報に基づき、少なくとも１つのユーザの識別情報及び該少なくとも１つのユーザの識別情報と１対１に対応する少なくとも１つのパーソナライズ配置情報を含むパーソナライズ配置データベースから該パーソナライズ配置情報を取得することと、を含む。
【００７３】
具体的には、該パーソナライズ配置データベースは、ユーザ端末の内部に記憶されてもよく、他の端末又はサーバのような機器に記憶されてもよく、ユーザ端末があるユーザのパーソナライズ配置情報を取得したいとき、ユーザ端末は他の端末又はサーバに該ユーザの識別情報を送信し、他の端末又はサーバがパーソナライズ配置データベースで該ユーザのパーソナライズ配置情報を検索することができ、そして他の端末又はサーバが検索した該ユーザのパーソナライズ配置情報をユーザ端末に送信することができ、ユーザ端末がさらに共有端末に該ユーザのパーソナライズ配置情報を転送することができる。
【００７４】
本願の実施例では、ユーザ端末があるユーザのパーソナライズ配置情報を使用する前に、まずパーソナライズ配置データベースを構築するか又は別所から該パーソナライズ配置データベースを取得してもよい。該パーソナライズ配置データベースは随時更新することができる。
【００７５】
理解されるように、本願の実施例では、ユーザの識別情報はユーザが入力したパスワード情報でもよく、例えば、該パーソナライズ配置データベースはユーザのパスワード及びパーソナライズ配置情報のテーブルであってよい。表１に示すとおりである。
【００７６】
【表１】
2020530600.tif 000011
【００７７】
サーバに表１が記憶されていると仮定すると、ユーザ１がホテルの部屋に入った後、ユーザ１の携帯電話がサーバに該ユーザの識別情報を送信でき、例えばユーザが携帯電話にパスワード１２３４５６７８を入力し、サーバが表１で該ユーザ１のパーソナライズ配置情報を検索するようにトリガーすると、ユーザ１の携帯電話は、エアコン温度が２５度で、コンピュータデスクトップが青空の写真であることを含む該ユーザ１のパーソナライズ配置情報を取得でき、さらにユーザ１の携帯電話がホテルのエアコンにユーザ１のパーソナライズ配置情報を送信することができ、ホテルのエアコンは直接温度を２５度に設置することができる。
【００７８】
本願の実施例では、該ユーザ端末は、該共有端末がユーザのパーソナライズ配置情報を取得するようにトリガーするステップは、該共有端末がサーバから該識別情報に対応するパーソナライズ配置情報を取得するように、該ユーザ端末が該共有端末に該ユーザの識別情報を送信することを含む。共有端末がサーバからユーザのパーソナライズ配置情報を取得するように、ユーザ端末は共有端末にユーザの識別情報を送信できる。そのプロセスはユーザ端末がサーバにユーザの識別情報を送信することでユーザのパーソナライズ配置情報を取得するプロセスと類似し、ここでは詳細な説明を省略する。
【００７９】
また理解されるように、該ユーザの識別情報はユーザの生体特徴情報であってもよく、例えば指紋特徴情報、虹彩特徴情報、顔特徴情報、声紋特徴情報、静脈特徴情報及び網膜特徴情報のうちの少なくとも１つであってもよい。
【００８０】
具体的には、該生体特徴情報は現在市場で関連技術の発展が比較的に成熟した指紋識別及び手形識別であってもよく、現在の段階で注目され且つ急速に発展した顔識別であってもよく、さらに虹彩識別、指静脈識別、声紋識別、署名識別、ステップ識別、キーボード叩き習慣識別、デオキシリボ核酸（Ｄｅｏｘｙｒｉｂｏｎｕｃｌｅｉｃ  ａｃｉｄ、ＤＮＡ）識別などの多様の生体識別技術である可能性もあり、ひいては将来生体特徴融合又はマルチモード生体特徴識別技術を用いてユーザの身元を認証する可能性がある。
【００８１】
上記の表１はパスワードと任意の生体特徴を組み合わせてユーザのパーソナライズ配置情報とマッピングすることで得られるものであり得る。本願の実施例は、表１のマッピング関係を限定せず、ユーザの身元を認証できる情報であればパーソナライズ配置情報とマッピングされ得る。
【００８２】
本願の実施例では、該方法はさらに、該ユーザ端末が該共有端末に対して、該共有端末が該ユーザの使用前の配置に戻ることを示すためのクリア情報を送信するステップを含む。
【００８３】
すなわち、ユーザが離れるとき、そのユーザ端末が共有端末に指示情報を送信することで、該共有端末が初期設定に戻ることを指示する。例えば、ユーザがホテルの部屋に入る時に携帯電話を介して部屋のエアコンに対してパーソナライズ配置を行い、翌日の１２時に離れ、１２時に自動的にエアコンにコマンドを送信し、以前の設定を戻すように設定することができる。さらに例えば、ユーザ端末が共有端末から切り離されるとき、共有端末が以前の設定に自動的に戻るようにしてもよい。
【００８４】
図３は、本願の実施例による共有端末を制御する概略ブロック図を示す。図３に示すように、該方法２００は、以下のステップの一部又は全部を含む。
Ｓ２１０、共有端末がユーザ端末との接続を確立する。
Ｓ２２０、前記共有端末が受信した前記ユーザ端末から送信された第１の情報に基づき、前記共有端末に対するユーザの配置嗜好を示すためのユーザのパーソナライズ配置情報を取得する。
Ｓ２３０、該共有端末が該パーソナライズ配置情報に基づき、該共有端末に対して配置する。
【００８５】
したがって、本願の実施例による共有端末を制御するための方法は、共有端末が受信したユーザ端末から送信された情報に基づいてユーザのパーソナライズ配置情報を取得することにより、ユーザの嗜好に合せて配置でき、さらにユーザの体験を向上させることができる。
【００８６】
本願の実施例では、該共有端末がユーザ端末との接続を確立するステップは、該共有端末が該ユーザ端末に対して、該共有端末が非占有状態にあることを示すための検出情報を送信することと、該共有端末が該ユーザ端末から送信された、該共有端末に該ユーザ端末との接続を確認するための確認情報を受信することと、を含む。
【００８７】
本願の実施例では、該共有端末がユーザ端末との接続を確立するステップは、該共有端末が該ユーザ端末から送信された、該共有端末との接続を要求するための接続要求情報を受信することと、該共有端末が該ユーザ端末に対して、該共有端末が該ユーザ端末と接続できることを示すための該接続要求情報の応答情報を送信することと、該共有端末が該ユーザ端末から送信された、該共有端末に該ユーザ端末との接続を確認するための確認情報を受信することと、を含む。
【００８８】
本願の実施例では、該第１の情報は該ユーザのパーソナライズ配置情報である。
【００８９】
本願の実施例では、該第１の情報が該ユーザの識別情報であり、該共有端末が受信した該ユーザ端末から送信された第１の情報に基づき、ユーザのパーソナライズ配置情報を取得するステップは、該共有端末が該識別情報に基づき、該パーソナライズ配置情報を取得することを含む。
【００９０】
本願の実施例では、該共有端末が該識別情報に基づき、該パーソナライズ配置情報を取得することは、該共有端末がサーバに該識別情報を送信することと、該共有端末が該サーバから送信された該識別情報に対応する該パーソナライズ配置情報を受信することと、を含む。
【００９１】
本願の実施例では、該方法はさらに、該共有端末が該ユーザ端末から送信された、該共有端末が該ユーザの使用前の配置に戻ることを示すためのクリア情報を受信するステップと、該共有端末が該クリア情報に基づき、該共有端末を該ユーザの使用前の配置に戻すステップと、を含む。
【００９２】
理解されるように、上記各プロセスの番号の大きさは実行順序の前後を意味するものではなく、各プロセスの実行順序はその機能や内部論理によって決定されるべきものであり、本願の実施例の実施プロセスを何ら限定するものではない。
【００９３】
本願及びその利点が詳細に説明されたが、添付の特許請求の範囲によって定義されるような本願の精神及び範囲から逸脱することなく、本願に様々な変更、置換及び改変を加えることができることが理解されるべきである。
【００９４】
理解されるように、共有端末によって記述される共有端末とユーザ端末との間の相互作用及び関連する特性、機能などは、ユーザ端末の関連する特性、機能に対応する。且つ、関連する内容は、上記方法１００において詳細に説明されているので、簡潔のために、ここではその説明を省略する。
【００９５】
以上、本願の実施例による共有端末を制御するための方法について詳細に説明したが、以下、図４乃至図７を参照して、本願の実施例による装置について説明し、方法の実施例に記載されている技術的特徴は以下の装置の実施例に適用される。
【００９６】
図４は、本願の実施例による端末３００の概略ブロック図を示す。図４に示すように、該端末３００は、
共有端末との接続を確立するための接続確立ユニット３１０と、
該共有端末に対するユーザの配置嗜好を示すためのユーザのパーソナライズ配置情報を該共有端末が取得するようにトリガーするためのトリガーユニット３２０と、を含む。
【００９７】
したがって、本願の実施例による端末は、ユーザのパーソナライズ配置情報を共有端末が取得するようにトリガーすることにより、共有端末をユーザの嗜好に合せて配置でき、さらにユーザの体験を向上させることができる。
【００９８】
本願の実施例では、該接続確立ユニットは具体的には、該共有端末が該端末と接続を確立できると該端末が確定する場合、該共有端末に対して、該共有端末に該端末との接続を確認するための確認情報を送信するために用いられる。
【００９９】
本願の実施例では、該端末はさらに、該共有端末から送信された、該共有端末が非占有状態にあることを示すための発見信号を受信するための第１の受信ユニットと、該発見信号に基づき、該共有端末が該端末と接続を確立できると確定するための第１の確定ユニットと、を含む。
【０１００】
本願の実施例では、該端末はさらに、該共有端末に対して、該共有端末との接続を要求するための接続要求情報を送信するための第１の送信ユニットと、該共有端末から送信された、該共有端末が該端末と接続できることを示すための該接続要求情報の応答情報を受信するための第２の受信ユニットと、該応答情報に基づき、該共有端末が該端末と接続を確立できると確定するための第２の確定ユニットと、を含む。
【０１０１】
本願の実施例では、該トリガーユニットは具体的には、該共有端末に該パーソナライズ配置情報を送信するために用いられる。
【０１０２】
本願の実施例では、該端末はさらに、該パーソナライズ配置情報を取得するための取得ユニットを含む。
【０１０３】
本願の実施例では、該取得ユニットは具体的には、該ユーザの識別情報を取得し、該識別情報に基づき、該パーソナライズ配置情報を取得するために用いられる。
【０１０４】
本願の実施例では、該取得ユニットは具体的には、該識別情報に基づき、少なくとも１つのユーザの識別情報及び該少なくとも１つのユーザの識別情報と１対１に対応する少なくとも１つのパーソナライズ配置情報を含む記憶しているパーソナライズ配置データベースから該識別情報に対応するパーソナライズ配置情報を取得するために用いられる。
【０１０５】
本願の実施例では、該取得ユニットは具体的には、サーバに該識別情報を送信し、該サーバから送信された該識別情報に対応するパーソナライズ配置情報を受信するために用いられる。
【０１０６】
本願の実施例では、該トリガーユニットは具体的には、該共有端末がサーバから該識別情報に対応するパーソナライズ配置情報を取得するように、該共有端末に該ユーザの識別情報を送信するために用いられる。
【０１０７】
本願の実施例では、該識別情報はパスワード情報及び／又は生体特徴情報を含む。
【０１０８】
本願の実施例では、該生体特徴情報は指紋特徴情報、虹彩特徴情報、顔特徴情報、声紋特徴情報、静脈特徴情報及び網膜特徴情報のうちの少なくとも１つを含む。
【０１０９】
本願の実施例では、該端末はさらに、該共有端末に対して、該共有端末が該ユーザの使用前の配置に戻ることを示すためのクリア情報を送信するための第２の送信ユニットを含む。
【０１１０】
理解されるように、本願の実施例による端末３００は、本願の方法例におけるユーザ端末に対応することができ、且つ端末３００の各ユニットの上記及び他の操作及び／又は機能は、それぞれ図２の方法におけるユーザ端末の対応するフローを実現するために用いられ、簡潔のために、ここではその説明を省略する。
【０１１１】
図５は、本願の実施例による端末４００の概略ブロック図を示す。図５に示すように、該端末４００は、
ユーザ端末との接続を確立するための接続確立ユニット４１０と、
受信した該ユーザ端末から送信された第１の情報に基づき、該共有端末に対するユーザの配置嗜好を示すためのユーザのパーソナライズ配置情報を取得するための取得ユニット４２０と、
前記パーソナライズ配置情報に基づき、前記共有端末に対して配置するための配置ユニット４３０と、を含む。
【０１１２】
したがって、本願の実施例による端末は、受信したユーザ端末から送信された情報に基づいてユーザのパーソナライズ配置情報を取得することにより、ユーザの嗜好に合せて配置でき、さらにユーザの体験を向上させることができる。
【０１１３】
本願の実施例では、該接続確立ユニットは具体的には、該ユーザ端末に対して、該端末が非占有状態にあることを示すための発見信号を送信し、該ユーザ端末から送信された、該端末に該ユーザ端末との接続を確認するための確認情報を受信するために用いられる。
【０１１４】
本願の実施例では、該接続確立ユニットは具体的には、該ユーザ端末から送信された、該端末との接続を要求するための接続要求情報を受信し、該ユーザ端末に対して、該端末が該ユーザ端末と接続できることを示すための該接続要求情報の応答情報を送信し、該ユーザ端末から送信された、該端末に該ユーザ端末との接続を確認するための確認情報を受信するために用いられる。
【０１１５】
本願の実施例では、該第１の情報は該ユーザのパーソナライズ配置情報である。
【０１１６】
本願の実施例では、該第１の情報が該ユーザの識別情報であり、該取得ユニットは具体的には、該識別情報に基づき、該パーソナライズ配置情報を取得するために用いられる。
【０１１７】
本願の実施例では、該取得ユニットは具体的には、サーバに該識別情報を送信し、該サーバから送信された該識別情報に対応する該パーソナライズ配置情報を受信するために用いられる。
【０１１８】
本願の実施例では、該端末はさらに、該ユーザ端末から送信された、該端末が該ユーザの使用前の配置に戻ることを示すためのクリア情報を受信するための受信ユニットと、該クリア情報に基づき、該端末を該ユーザの使用前の配置に戻すための復元ユニットと、を含む。
【０１１９】
理解されるように、本願の実施例による端末４００は、本願の方法例における共有端末に対応することができ、且つ端末４００の各ユニットの上記及び他の操作及び／又は機能は、それぞれ図３の方法におけるユーザ端末の対応するフローを実現するために用いられ、簡潔のために、ここではその説明を省略する。
【０１２０】
図６は、本願の実施例による端末５００の概略ブロック図を示す。図６に示される端末５００は、無線周波数（Ｒａｄｉｏ  Ｆｒｅｑｕｅｎｃｙ、ＲＦ）回路５１０、メモリ５２０、他の入力機器５３０、ディスプレイ５４０、センサ５５０、オーディオ回路５６０、Ｉ／Ｏサブシステム５７０、プロセッサ５８０、及び電源５９０などの部材を含む。当業者であれば理解されるように、図６に示される端末構造が端末を限定するものではなく、図示されているものよりも多いか又は少ない部材を含んでもよく、又は、特定の部材を組み合わせたり、特定の部材を分割したり、又は、異なる部材で配置したりする。ディスプレイ５４０がユーザインタフェース（Ｕｓｅｒ  Ｉｎｔｅｒｆａｃｅ、ＵＩ）に属し、且つ端末５００が図面で示されているものよりも少ないユーザインタフェースを含んでよいことを、当業者は理解できる。
【０１２１】
以下、図６を参照して端末５００の各構成部材について具体的に説明する。
【０１２２】
ＲＦ回路５１０は、情報の送受信又は通話中の信号の送受信、特に、基地局の下り情報を受信した後、プロセッサ５８０により処理するために使用され得る。また、上りに関わるデータを基地局に送信する。一般に、ＲＦ回路は、アンテナ、少なくとも１つの増幅器、トランシーバ、結合器、低雑音増幅器（Ｌｏｗ  Ｎｏｉｓｅ  Ａｍｐｌｉｆｉｅｒ、ＬＮＡ）、デュプレクサなどを含むが、これらに限定されない。さらに、ＲＦ回路５１０は、無線通信を介してネットワーク及び他の機器と通信することもできる。前記無線通信は、任意の通信標準又はプロトコルを使用し得る。
【０１２３】
メモリ５２０は、ソフトウェアプログラム及びモジュールを記憶するために使用されてよく、プロセッサ５８０は、メモリ５２０に記憶されたソフトウェアプログラム及びモジュールを実行することにより、端末５００の様々な機能アプリケーション及びデータ処理を実行する。メモリ５２０は、オペレーティングシステム、少なくとも１つの機能に必要なアプリケーションプログラム（例えば音声再生機能、画像再生機能など）などを記憶できるプログラム記憶領域と、端末５００の使用に応じて作成されたデータ（例えばオーディオデータ、電話帳など）などを記憶できるデータ記憶領域とを主に含んでよい。さらに、メモリ５２０は、高速ランダムアクセスメモリを含んでもよく、少なくとも１つの磁気ディスク記憶装置、フラッシュメモリ装置、又は他の揮発性固体記憶装置などの不揮発性メモリを含んでもよい。
【０１２４】
他の入力機器５３０は、数字又は文字情報の入力を受け、及び端末５００のユーザ設定及び機能制御に関するキー信号入力を生成するために使用され得る。具体的には、他の入力機器５３０は、物理キーボード、機能キー（例えば音量調節キー、スイッチキーなど）、トラックボール、マウス、ジョイスティック、光学式マウス（光学式マウスは、可視出力を表示しないタッチセンサ面、又はタッチスクリーンによって形成されるタッチセンサ面の延長部である）などのうちの１つ以上を含んでもよいが、これらに限定されない。他の入力機器５３０は、Ｉ／Ｏサブシステム５７０の他の入力機器コントローラ５７１に接続され、他の入力機器コントローラ５７１の制御下でプロセッサ５８０と信号のやり取りを行う。
【０１２５】
ディスプレイ５４０は、ユーザが入力した情報又はユーザに提供された情報及び端末５００の多様なメニューを表示するために使用されてもよく、ユーザ入力を受信することもできる。具体的には、ディスプレイ５４０は、表示パネル５４１と、タッチパネル５４２とを含む。そのうち、表示パネル５４１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で表示パネル５４１を配置してもよい。タッチパネル５４２は、タッチスクリーン、タッチセンサスクリーンなどとも呼ばれ、ユーザによるその上又は近傍における接触又は非接触操作（例えば、ユーザが指、スタイラスなどの任意の適切な物体又は付属物を用いてタッチパネル５４２上又はタッチパネル５４２近傍における操作、また体感操作を含んでもよく、該操作は単点制御操作、多点制御操作などの操作タイプを含む）を収集し、且つ予め設定されたプログラムに従って対応する接続装置を駆動することができる。一実施形態において、タッチパネル５４２は、タッチ検出装置とタッチコントローラの両方を備えてもよい。そのうち、タッチ検出装置は、ユーザのタッチ方位、姿勢を検出し、且つタッチ操作による信号を検出して、信号をタッチコントローラに伝送する。タッチコントローラはタッチ検出装置からタッチ情報を受信し、且つそれをプロセッサが処理可能な情報に変換し、さらにプロセッサ５８０に送信し、且つプロセッサ５８０からのコマンドを受信して実行することができる。なお、タッチパネル５４２は、抵抗式、静電容量式、赤外線及び表面弾性波などの複数の形態を用いて実現されてもよく、タッチパネル５４２は、今後開発されるいかなる技術を用いて実現されてもよい。さらに、タッチパネル５４２は、表示パネル５４１を覆うことができ、ユーザは、表示パネル５４１に表示されたコンテンツ（ソフトキーボード、仮想マウス、仮想キー、アイコンなどを含むが、これらに限定されない）に応じて、表示パネル５４１に覆われたタッチパネル５４２上又はその近傍で操作を行うことができ、タッチパネル５４２は、その上又は近傍での操作を検出した後、Ｉ／Ｏサブシステム５７０を介してプロセッサ５８０に伝送してユーザ入力を確定し、その後、プロセッサ５８０は、ユーザ入力に応じてＩ／Ｏサブシステム５７０を介して表示パネル５４１に対応する視覚出力を提供する。図５では、タッチパネル５４２と表示パネル５４１とが独立した２つの部材として端末５００の入力及び出力機能を実現するが、幾つかの実施例では、タッチパネル５４２と表示パネル５４１とが一体化されて端末５００の入力及び出力機能を実現してもよい。
【０１２６】
端末５００は、光センサ、モーションセンサ、及び他のセンサのような少なくとも１つのセンサ５５０をさらに含むことができる。具体的には、光センサは、環境光センサ及び接近センサを含んでよく、そのうち、環境光センサは、環境光の明暗に応じて表示パネル５４１の輝度を調節でき、近接センサは、端末５００が耳に移動したとき、表示パネル５４１及び／又はバックライトを消灯できる。モーションセンサの１つとして、加速度計センサは、様々な方向（一般的には３軸）の加速度の大きさを検出でき、静止時の重力の大きさ及び方向を検出でき、携帯電話の姿勢を認識するアプリケーション（例えば、縦横画面切り替え、関連ゲーム、磁力計の姿勢校正）、振動認識関連機能（例えば、歩数計、タップ）などに使用でき、端末５００に備えられるジャイロスコープ、気圧計、湿度計、温度計、赤外線センサなどの他のセンサもここでは説明しない。
【０１２７】
オーディオ回路５６０、スピーカ５６１、マイクロホン５６２は、ユーザと端末５００との間のオーディオインタフェースを提供することができる。オーディオ回路５６０は、受信したオーディオデータを変換した信号をスピーカ５６１に伝送し、スピーカ５６１により音声信号に変換して出力することができる。一方、マイクロホン５６２は、収集した音声信号を信号に変換し、オーディオ回路５６０により受信した後にオーディオデータに変換し、さらにオーディオデータをＲＦ回路５１０に出力して他の携帯電話などに送信したり、オーディオデータをメモリ５２０に出力したりしてさらなる処理を行う。
【０１２８】
Ｉ／Ｏサブシステム５７０は、入出力の外部機器を制御するためのものであり、他の機器入力機器コントローラ５７１、センサコントローラ５７２、表示コントローラ５７５を含んでもよい。一実施形態において、１つ又は複数の他の入力機器コントローラ５７１は、物理ボタン（プッシュボタン、ロッカーボタンなど）、ダイヤル、スライドスイッチ、ジョイスティック、クリックホイール、光学式マウス（光学式マウスは、可視出力を表示しないタッチセンサ面、又はタッチスクリーンによって形成されるタッチセンサ面の延長部である）を含み得る他の入力機器５３０から信号を受信し、及び／又は他の入力機器５３０に信号を送信する。なお、他の入力機器コントローラ５７１は、上記機器のいずれか１つ又は複数に接続されていてもよい。前記Ｉ／Ｏサブシステム５７０内の表示コントローラ５７５は、ディスプレイ５４０から信号を受信し、及び／又はディスプレイ５４０に信号を送信する。ディスプレイ５４０がユーザ入力を検出すると、表示コントローラ５７５は、検出されたユーザ入力をディスプレイ５４０に表示されたユーザインタフェースオブジェクトとの相互作用に変換し、即ち、人間とコンピュータとの相互作用を実現する。センサコントローラ５７２は、１つ又は複数のセンサ５５０から信号を受信し、及び／又は、１つ又は複数のセンサ５５０に信号を送信し得る。
【０１２９】
プロセッサ５８０は、端末５００の制御中枢であり、端末機器全体の各部を各種インタフェースや回線で接続し、メモリ５２０内に記憶されたソフトウェアプログラム及び／又はモジュールを稼動させるか又は実行し、及びメモリ５２０内に記憶されたデータを呼び出すことにより、端末５００の各種機能及び処理データを実行し、これにより端末機器全体の監視を行う。一実施形態において、プロセッサ５８０は、１つ以上の処理ユニットを備えてもよい。好ましくは、プロセッサ５８０は、オペレーティングシステム、ユーザインタフェース、及びアプリケーションプログラムなどを主に処理するアプリケーションプロセッサと、ワイヤレス通信を主に処理するモデムプロセッサとを統合し得る。上記のモデムプロセッサは、プロセッサ５８０に統合されなくてもよいことが理解される。
【０１３０】
図示されていないが、端末５００は、カメラ、ブルートゥースモジュールなどをさらに含んでもよく、ここでは再び説明しない。
【０１３１】
理解されるように、該端末５００は、本願の実施例による共有端末を制御するための方法におけるユーザ端末に対応することができ、該端末５００は上記方法におけるユーザ端末が実行する方法を実行するための実体ユニットを含むことができる。且つ、該端末５００における各実体ユニット及び上記他の操作及び／又は機能は、それぞれ上記方法の対応するフローのためであり、簡潔のために、ここではその説明を省略する。
【０１３２】
また、本願の実施例におけるプロセッサ５８０は、信号の処理能力を有する集積回路チップであり得ることを理解されたい。実現過程において、上記方法例の各ステップはプロセッサ５８０におけるハードウェアの集積論理回路又はソフトウェア形式のコマンドによって実行されてもよい。上記プロセッサ５８０は、中央処理装置（Ｃｅｎｔｒａｌ  Ｐｒｏｃｅｓｓｉｎｇ  Ｕｎｉｔ、ＣＰＵ）であってもよく、該プロセッサ５８０はまた、他の汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブルロジックデバイス、離散ゲート又はトランジスタロジックデバイス、離散ハードウェアユニットであってもよい。本願の実施例に開示されている各方法、ステップ及びロジックブロック図を実現又は実行できる。汎用プロセッサは、マイクロプロセッサであってもよく、又は該プロセッサ５８０は、任意の通常のプロセッサなどであってもよい。本願の実施例に基づいて開示されている方法のステップは、ハードウェアデコードプロセッサにより実行されてもよく、又はデコードプロセッサにおけるハードウェア及びソフトウェアモジュールの組み合わせにより実行されてもよい。ソフトウェアモジュールはランダムアクセスメモリ、フラッシュメモリ、読み出し専用メモリ、プログラマブル読み出し専用メモリ又は電気的消去可能プログラマブルメモリ、レジスタなどの本分野で公知する成熟記憶媒体に位置してもよい。該記憶媒体はメモリに位置し、プロセッサはメモリ内の情報を読み取り、そのハードウェアと組み合わせて上記方法のステップを実行する。
【０１３３】
また、本願の実施例におけるメモリ５２０は、揮発性メモリ又は不揮発性メモリであってもよく、或いは揮発性メモリ及び不揮発性メモリの両方を含んでもよいことが理解されるべきである。そのうち、不揮発性メモリは、読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能プログラマブル読み出し専用メモリ（Ｅｒａｓａｂｌｅ  ＰＲＯＭ、ＥＰＲＯＭ）、電気的消去可能プログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリは、ランダムアクセスメモリ（Ｒａｎｄｏｍ  Ａｃｃｅｓｓ  Ｍｅｍｏｒｙ、ＲＡＭ）であってもよく、外部キャッシュメモリとして使用される。例示的であるが制限的ではない説明によって、多数の形態のＲＡＭ、例えばスタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期ダイナミックランダムアクセスメモリ（Ｅｎｈａｎｃｅｄ  ＳＤＲＡＭ、ＥＳＤＲＡＭ）、同期リンクダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲ  ＲＡＭ）は利用可能である。なお、本明細書に説明されたシステム及び方法におけるメモリは、以上のもの及び任意の適切なタイプのメモリを含むが、それらに制限されないことを意図する。
【０１３４】
なお、本願の実施例では、「Ａに対応するＢ」とは、ＢがＡに関連していることを意味し、ＡからＢを確定することができることを意味する。ただし、ＡからＢを確定することは、ＡのみからＢを確定することを意味するのではなく、Ａ及び／又は他の情報からＢを確定することもできることをさらに理解されたい。なお、ここでいう用語「及び／又は」は、単に関連のある対象を記述するための関連関係の１種であり、３種類の関係があることを示し、例えば、Ａ及び／又はＢは、Ａが独立に存在する場合、ＡとＢが同時に存在する場合、Ｂが独立に存在する場合を含む。さらに、本明細書では、符号「／」は、一般的に、前後に記載の関連のある対象が「又は」の関係を有することを示す。
【０１３５】
実現過程において、上記方法の各ステップはプロセッサにおけるハードウェアの集積論理回路又はソフトウェア形式のコマンドによって実行されてもよい。本願の実施例に基づいて開示されている上り信号を伝送するための方法のステップは、ハードウェアプロセッサにより実行されてもよく、又はプロセッサにおけるハードウェア及びソフトウェアモジュールの組み合わせにより実行されてもよい。ソフトウェアモジュールはランダムアクセスメモリ、フラッシュメモリ、読み出し専用メモリ、プログラマブル読み出し専用メモリ又は電気的消去可能プログラマブルメモリ、レジスタなどの本分野で公知する成熟記憶媒体に位置してもよい。該記憶媒体はメモリに位置し、プロセッサはメモリ内の情報を読み取り、そのハードウェアと組み合わせて上記方法のステップを実行する。重複を避けるために、その詳細な説明は省略する。
【０１３６】
図７は、本願の実施例による端末６００の概略ブロック図をさらに示す。該端末６００は、図３の方法２００に対応する共有端末のコンテンツを実行するために使用可能な図５の端末４００であってもよい。該端末６００は、入力インタフェース６１０、出力インタフェース６２０、プロセッサ６３０及びメモリ６４０を含み、該入力インタフェース６１０、出力インタフェース６２０、プロセッサ６３０及びメモリ６４０は、バスシステムを介して接続可能となっている。該メモリ６４０は、プログラム、コマンド、又はコードを含むデータを記憶するために使用される。該プロセッサ６３０は、入力インタフェース６１０が信号を受信するように制御し、出力インタフェース６２０が信号を送信するように制御し、及び前述の方法例の操作を完了するように、該メモリ６４０内のプログラム、コマンド又はコードを実行するために用いられる。
【０１３７】
したがって、本願の実施例による端末は、ユーザ端末から送信されたユーザのパーソナライズ配置情報を受信することにより、ユーザの嗜好に合せて配置でき、さらにユーザの体験を向上させることができる。
【０１３８】
理解されるように、本願の実施例では、該プロセッサ６３０は、中央処理装置（Ｃｅｎｔｒａｌ  Ｐｒｏｃｅｓｓｉｎｇ  Ｕｎｉｔ、ＣＰＵ）であってもよく、該プロセッサ６３０はまた、他の汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブルロジックデバイス、離散ゲート又はトランジスタロジックデバイス、離散ハードウェアユニットなどであってもよい。汎用プロセッサは、マイクロプロセッサであってもよく、又は該プロセッサは、任意の通常のプロセッサなどであってもよい。
【０１３９】
該メモリ６４０は、読み出し専用メモリ及びランダムアクセスメモリを含み得、且つプロセッサ６３０にコマンド及びデータを提供する。メモリ６４０の一部は、不揮発性ランダムアクセスメモリをさらに含み得る。例えば、メモリ６４０は、機器タイプの情報をさらに記憶してもよい。
【０１４０】
実現過程において、上記方法の各コンテンツはプロセッサ６３０におけるハードウェアの集積論理回路又はソフトウェア形式のコマンドによって実行されてもよい。本願の実施例に基づいて開示されている方法のコンテンツは、ハードウェアプロセッサにより実行されてもよく、又はプロセッサにおけるハードウェア及びソフトウェアモジュールの組み合わせにより実行されてもよい。ソフトウェアモジュールはランダムアクセスメモリ、フラッシュメモリ、読み出し専用メモリ、プログラマブル読み出し専用メモリ又は電気的消去可能プログラマブルメモリ、レジスタなどの本分野で公知する成熟記憶媒体に位置してもよい。該記憶媒体はメモリ６４０に位置し、プロセッサ６３０はメモリ６４０内の情報を読み取り、そのハードウェアと組み合わせて上記方法のコンテンツを実行する。重複を避けるために、その詳細な説明は省略する。
【０１４１】
１つの具体的な実施形態において、端末４００における第１の受信ユニット及び第２の受信ユニットは図７での入力インタフェース６１０によって具現され、端末４００における接続確立ユニット及び復元ユニットは図７でのプロセッサ６３０によって具現されてよい。
【０１４２】
本願の実施例は、複数のアプリケーションプログラムを含む携帯型電子機器によって実行されると、図２及び／又は図３に示す実施例の方法を該携帯型電子機器に実行させることができるコマンドを含む１つ又は複数のプログラムを記憶するコンピュータ読み取り可能な記憶媒体をさらに提供する。
【０１４３】
当業者が分かるように、本明細書に開示されている実施例に基づいて説明された各例示的なユニット及びアルゴリズムステップは、電子ハードウェア、又はコンピュータソフトウェア及び電子ハードウェアの組み合わせによって実現できる。これらの機能がハードウェアで実行されるか、ソフトウェアで実行されるかは、技術案の特定応用及び設計上の制約条件に依存する。当業者であれば、特定応用ごとに異なる方法を用いて説明された機能を実現できるが、このような実現は本願の実施例の範囲に含まれる。
【０１４４】
当業者にとって明らかなように、説明の便利さ及び簡素化から、上記説明したシステム、装置及びユニットの具体的な作動過程については、前述方法例における対応過程を参照すればよく、ここで詳細な説明を省略する。
【０１４５】
本願による幾つかの実施例では、理解されるように、開示されているシステム、装置及び方法は、その他の形態により実施することもできる。例えば、以上に説明された装置の実施例は例示的なものに過ぎない。例えば、前記ユニットの分割は、論理機能上の分割に過ぎず、実施する際に別の形態で分割することもでき、例えば、複数のユニット又は部品を別のシステムに組み合わせもしくは集積させたり、又は一部の特徴を反映させず、実行しなかったりしてもよい。また、説明又は検討した互いの結合又は直接的な結合又は通信接続は、幾つかのインタフェース、装置又はユニットを用いる間接的接続又は通信接続とすることもでき、電気的形態、機械的形態又はその他の形態とすることもできる。
【０１４６】
前記分離部材として説明したユニットは、物理的に分離されるものでもよければ、分離されないものであってもよい。ユニットとして示される部材は、物理的なユニットであってもよいが、物理的なユニットでなくてもよい。即ち、同一の場所に設けられるものであってもよいが、複数のネットワークユニットに配置されるものであってもよい。必要に応じて、一部のユニットのみを用いるか、又は全てのユニットを使用して本実施例の手段の目的を達成することができる。
【０１４７】
また、本願の各実施例において、各機能ユニットが１つの処理ユニットに集積されてもよいが、各ユニットが単独で物理的な部材として存在するか、又は２つ以上のユニットが１つのユニットに集積されてもよい。
【０１４８】
前記機能は、ソフトウェア機能ユニットの形態として実現され且つ独立した製品として販売又は使用される場合、コンピュータ読み取り可能な記憶媒体に記憶できる。このような知見に基づいて、本願の実施例の技術案では、本質的に、又は、従来技術に貢献する部分又は該技術案の一部は、ソフトウェア製品の形態として実現でき、該コンピュータソフトウェア製品は、記憶媒体に記憶されており、コンピュータ機器（パソコン、サーバ、又はネットワーク機器など）に本願の各実施例の前記方法の全部又は一部のステップを実行させる幾つかのコマンドを含む。前述の記憶媒体は、Ｕディスク、モバイルディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなどのプロクラムコードを記憶可能な種々の媒体を含む。
【０１４９】
以上は、本願の実施例の具体的な実施形態に過ぎず、本願の実施例の保護範囲はそれに制限されず、当業者であれば、本願の実施例に開示されている技術範囲内で容易に想到し得る変化又は置換は、いずれも本願の実施例の保護範囲に含まれる。したがって、本願の実施例の保護範囲は前記特許請求の範囲の保護範囲に準じる。
【手続補正２】
【補正対象書類名】特許請求の範囲
【補正対象項目名】全文
【補正方法】変更
【補正の内容】
【特許請求の範囲】
【請求項１】
共有端末を制御するための方法であって、
ユーザ端末が共有端末との接続を確立するステップと、
前記ユーザ端末は、前記共有端末が前記共有端末に対するユーザの配置嗜好を示すためのユーザのパーソナライズ配置情報を取得するようにトリガーするステップと、を含むことを特徴とする共有端末を制御するための方法。
【請求項２】
前記ユーザ端末が共有端末との接続を確立するステップは、
前記共有端末が前記ユーザ端末と接続を確立できると前記ユーザ端末が確定する場合、前記ユーザ端末が前記共有端末に対して、前記共有端末に前記ユーザ端末との接続を確認するための確認情報を送信することを含むことを特徴とする請求項１に記載の方法。
【請求項３】
前記方法はさらに、
前記共有端末から送信された、前記共有端末が非占有状態にあることを示すための発見信号を前記ユーザ端末が受信するステップと、
前記ユーザ端末が前記発見信号に基づき、前記共有端末が前記ユーザ端末と接続を確立できると確定するステップと、を含むことを特徴とする請求項２に記載の方法。
【請求項４】
前記方法はさらに、
前記ユーザ端末が前記共有端末に対して、前記共有端末との接続を要求するための接続要求情報を送信するステップと、
前記ユーザ端末が前記共有端末から送信された、前記共有端末が前記ユーザ端末と接続できることを示すための前記接続要求情報の応答情報を受信するステップと、
前記ユーザ端末が前記応答情報に基づき、前記共有端末が前記ユーザ端末と接続を確立できると確定するステップと、を含むことを特徴とする請求項２に記載の方法。
【請求項５】
前記ユーザ端末は、前記共有端末がユーザのパーソナライズ配置情報を取得するようにトリガーするステップは、
前記ユーザ端末が前記共有端末に前記パーソナライズ配置情報を送信することを含むことを特徴とする請求項１乃至請求項４のいずれか一項に記載の方法。
【請求項６】
前記ユーザ端末が前記共有端末に前記パーソナライズ配置情報を送信する前に、前記方法はさらに、
前記ユーザ端末が前記ユーザの識別情報を取得することと、
前記ユーザ端末が前記識別情報に基づき、前記パーソナライズ配置情報を取得することと、を含むことを特徴とする請求項６に記載の方法。
【請求項７】
前記ユーザ端末が前記識別情報に基づき、前記パーソナライズ配置情報を取得することは、
前記ユーザ端末が前記識別情報に基づき、少なくとも１つのユーザの識別情報及び前記少なくとも１つのユーザの識別情報と１対１に対応する少なくとも１つのパーソナライズ配置情報を含む記憶しているパーソナライズ配置データベースから前記識別情報に対応するパーソナライズ配置情報を取得することを含むことを特徴とする請求項６に記載の方法。
【請求項８】
前記ユーザ端末が前記識別情報に基づき、前記パーソナライズ配置情報を取得することは、
前記ユーザ端末がサーバに前記識別情報を送信することと、
前記ユーザ端末が前記サーバから送信された前記識別情報に対応するパーソナライズ配置情報を受信することと、を含むことを特徴とする請求項６に記載の方法。
【請求項９】
前記ユーザ端末は、前記共有端末がユーザのパーソナライズ配置情報を取得するようにトリガーするステップは、
前記共有端末がサーバから前記識別情報に対応するパーソナライズ配置情報を取得するように、前記ユーザ端末が前記共有端末に前記ユーザの識別情報を送信することを含むことを特徴とする請求項１乃至請求項４のいずれか一項に記載の方法。
【請求項１０】
前記識別情報はパスワード情報及び／又は生体特徴情報を含むことを特徴とする請求項６乃至請求項９のいずれか一項に記載の方法。
【請求項１１】
前記生体特徴情報は指紋特徴情報、虹彩特徴情報、顔特徴情報、声紋特徴情報、静脈特徴情報及び網膜特徴情報のうちの少なくとも１つを含むことを特徴とする請求項１０に記載の方法。
【請求項１２】
前記方法はさらに、
前記ユーザ端末が前記共有端末に対して、前記共有端末が前記ユーザの使用前の配置に戻ることを示すためのクリア情報を送信するステップを含むことを特徴とする請求項１乃至請求項１１のいずれか一項に記載の方法。
【請求項１３】
端末であって、
前記端末は請求項１乃至請求項１２のいずれか一項に記載の方法を実行するように配置されることを特徴とする端末。
【手続補正３】
【補正対象書類名】図面
【補正対象項目名】図５
【補正方法】変更
【補正の内容】
【図５】
2020530600.tif 000012
【国際調査報告】
2020530600.tif 000013
2020530600.tif 000014
2020530600.tif 000015
2020530600.tif 000016